(57)【要約】  ワイヤレス通信のための方法が開示されている。方法は、マルチキャストブロック肯定応答フレームを発生させて解釈することを含む。集約された肯定応答情報の存在を示すために、および、個々の局に対する肯定応答情報を抽出するために、グループ識別子および装置識別子を使用する。【選択図】  図６
2013513346.tif 000002
【特許請求の範囲】
【請求項１】
通信の方法において、
複数の装置のうちの１つ以上から１つ以上の送信を受信することと、
前記受信した１つ以上の送信に基づいて、少なくとも前記複数の装置に関係するグループ識別子と肯定応答情報とを少なくとも含む肯定応答メッセージを発生させることと、
前記複数の装置に前記肯定応答メッセージを送信することとを含む方法。
【請求項２】
前記肯定応答メッセージは、前記複数の装置のうちの１つ以上に対応する１つ以上の装置識別子をさらに含む請求項１記載の方法。
【請求項３】
前記装置識別子は、相対装置識別子である請求項２記載の方法。
【請求項４】
前記装置識別子は、一時的な識別子である請求項２記載の方法。
【請求項５】
前記グループ識別子は、媒体アクセス制御アドレスを含む請求項１記載の方法。
【請求項６】
アソシエーションの間に、前記グループ識別子を送信することをさらに含む請求項１記載の方法。
【請求項７】
前記複数の装置のうちの１つ以上に、送信開始メッセージを送信することをさらに含む請求項１記載の方法。
【請求項８】
前記送信開始メッセージは、前記グループ識別子を含む請求項７記載の方法。
【請求項９】
前記肯定応答メッセージは、前記受信した１つ以上の送信の、１つ以上のトラフィックエレメントにそれぞれ関係する１つ以上のトラフィック識別子をさらに含む請求項１記載の方法。
【請求項１０】
前記肯定応答メッセージは、ブロック肯定応答を含む請求項１記載の方法。
【請求項１１】
前記ブロック肯定応答は、受信機アドレスフィールドを含み、前記受信機アドレスフィールドは、前記グループ識別子を含む請求項１０記載の方法。
【請求項１２】
前記ブロック肯定応答は、送信機アドレスフィールドを含み、前記送信機アドレスフィールドは、前記グループ識別子を含む請求項１０記載の方法。
【請求項１３】
前記ブロック肯定応答は、マルチトラフィック識別子フィールドを含み、前記方法は、前記ブロック肯定応答中に肯定応答情報が含まれている装置の数に少なくとも部分的に基づいて、前記マルチトラフィック識別子フィールドの値を決定することをさらに含む請求項１０記載の方法。
【請求項１４】
前記ブロック肯定応答は、ブロック肯定応答制御フィールドを含み、前記ブロック肯定応答制御フィールドは、複数の予約ビットを含み、前記方法は、前記ブロック肯定応答中に肯定応答情報が含まれている装置の数に少なくとも部分的に基づいて、前記複数の予約ビットのうちの１つ以上のそれぞれの値を決定することをさらに含む請求項１０記載の方法。
【請求項１５】
前記ブロック肯定応答は、１つ以上の、トラフィック識別子ごとの情報フィールドを含み、各トラフィック識別子ごとの情報フィールドは、複数の予約ビットを含み、前記複数の予約ビットのうちの１つ以上は、前記複数の装置のうちの１つ以上のうちの１つに対する装置識別子を含む請求項１０記載の方法。
【請求項１６】
前記ブロック肯定応答は、１つ以上のブロック肯定応答情報フィールドを含み、各ブロック肯定応答情報フィールドは、装置識別子フィールドを含み、前記装置識別子フィールドは、前記複数の装置のうちの１つ以上のうちの１つに対する装置識別子を含む請求項１０記載の方法。
【請求項１７】
通信のための装置において、
複数の装置のうちの１つ以上から１つ以上の送信を受信するように構成されている受信機と、
前記受信した１つ以上の送信に基づいて、少なくとも前記複数の装置に関係するグループ識別子と肯定応答情報とを少なくとも含む肯定応答メッセージを発生させるように構成されている処理システムと、
前記複数の装置に前記肯定応答メッセージを送信するように構成されている送信機とを具備する装置。
【請求項１８】
前記肯定応答メッセージは、前記複数の装置のうちの１つ以上に対応する１つ以上の装置識別子をさらに含む請求項１７記載の装置。
【請求項１９】
前記装置識別子は、相対装置識別子である請求項１８記載の装置。
【請求項２０】
前記装置識別子は、一時的な識別子である請求項１８記載の装置。
【請求項２１】
前記グループ識別子は、媒体アクセス制御アドレスを含む請求項１７記載の装置。
【請求項２２】
前記送信機は、アソシエーションの間に、前記グループ識別子を送信するようにさらに構成されている請求項１７記載の装置。
【請求項２３】
前記送信機は、前記複数の装置のうちの１つ以上に、送信開始メッセージを送信するようにさらに構成されている請求項１７記載の装置。
【請求項２４】
前記送信開始メッセージは、前記グループ識別子を含む請求項２３記載の装置。
【請求項２５】
前記肯定応答メッセージは、前記受信した１つ以上の送信の、１つ以上のトラフィックエレメントにそれぞれ関係する１つ以上のトラフィック識別子をさらに含む請求項１７記載の装置。
【請求項２６】
前記肯定応答メッセージは、ブロック肯定応答を含む請求項１７記載の装置。
【請求項２７】
前記ブロック肯定応答は、受信機アドレスフィールドを含み、前記受信機アドレスフィールドは、前記グループ識別子を含む請求項２６記載の装置。
【請求項２８】
前記ブロック肯定応答は、送信機アドレスフィールドを含み、前記送信機アドレスフィールドは、前記グループ識別子を含む請求項２６記載の装置。
【請求項２９】
前記ブロック肯定応答は、マルチトラフィック識別子フィールドを含み、前記処理システムは、前記ブロック肯定応答中に肯定応答情報が含まれている装置の数に少なくとも部分的に基づいて、前記マルチトラフィック識別子フィールドの値を決定するようにさらに構成されている請求項２６記載の装置。
【請求項３０】
前記ブロック肯定応答は、ブロック肯定応答制御フィールドを含み、前記ブロック肯定応答制御フィールドは、複数の予約ビットを含み、前記処理システムは、前記ブロック肯定応答中に肯定応答情報が含まれている装置の数に少なくとも部分的に基づいて、前記複数の予約ビットのうちの１つ以上のそれぞれの値を決定するようにさらに構成されている請求項２６記載の装置。
【請求項３１】
前記ブロック肯定応答は、１つ以上の、トラフィック識別子ごとの情報フィールドを含み、各トラフィック識別子ごとの情報フィールドは、複数の予約ビットを含み、前記複数の予約ビットのうちの１つ以上は、前記複数の装置のうちの１つ以上のうちの１つに対する装置識別子を含む請求項２６記載の装置。
【請求項３２】
前記ブロック肯定応答は、１つ以上のブロック肯定応答情報フィールドを含み、各ブロック肯定応答情報フィールドは、装置識別子フィールドを含み、前記装置識別子フィールドは、前記複数の装置のうちの１つ以上のうちの１つに対する装置識別子を含む請求項２６記載の装置。
【請求項３３】
通信のための装置において、
複数の装置のうちの１つ以上から１つ以上の送信を受信する手段と、
前記受信した１つ以上の送信に基づいて、少なくとも前記複数の装置に関係するグループ識別子と肯定応答情報とを少なくとも含む肯定応答メッセージを発生させる手段と、
前記複数の装置に前記肯定応答メッセージを送信する手段とを具備する装置。
【請求項３４】
前記肯定応答メッセージは、前記複数の装置のうちの１つ以上に対応する１つ以上の装置識別子をさらに含む請求項３３記載の装置。
【請求項３５】
前記装置識別子は、相対装置識別子である請求項３４記載の装置。
【請求項３６】
前記装置識別子は、一時的な識別子である請求項３４記載の装置。
【請求項３７】
前記グループ識別子は、媒体アクセス制御アドレスを含む請求項３３記載の装置。
【請求項３８】
前記送信する手段は、アソシエーションの間に、前記グループ識別子を送信するようにさらに構成されている請求項３３記載の装置。
【請求項３９】
前記送信する手段は、前記複数の装置のうちの１つ以上に、送信開始メッセージを送信するようにさらに構成されている請求項３３記載の装置。
【請求項４０】
前記送信開始メッセージは、前記グループ識別子を含む請求項３９記載の装置。
【請求項４１】
前記肯定応答メッセージは、前記受信した１つ以上の送信の、１つ以上のトラフィックエレメントにそれぞれ関係する１つ以上のトラフィック識別子をさらに含む請求項３３記載の装置。
【請求項４２】
前記肯定応答メッセージは、ブロック肯定応答を含む請求項３３記載の装置。
【請求項４３】
前記ブロック肯定応答は、受信機アドレスフィールドを含み、前記受信機アドレスフィールドは、前記グループ識別子を含む請求項４２記載の装置。
【請求項４４】
前記ブロック肯定応答は、送信機アドレスフィールドを含み、前記送信機アドレスフィールドは、前記グループ識別子を含む請求項４２記載の装置。
【請求項４５】
前記ブロック肯定応答は、マルチトラフィック識別子フィールドを含み、前記装置は、前記ブロック肯定応答中に肯定応答情報が含まれている装置の数に少なくとも部分的に基づいて、前記マルチトラフィック識別子フィールドの値を決定する手段をさらに具備する請求項４２記載の装置。
【請求項４６】
前記ブロック肯定応答は、ブロック肯定応答制御フィールドを含み、前記ブロック肯定応答制御フィールドは、複数の予約ビットを含み、前記装置は、前記ブロック肯定応答中に肯定応答情報が含まれている装置の数に少なくとも部分的に基づいて、前記複数の予約ビットのうちの１つ以上のそれぞれの値を決定する手段をさらに具備する請求項４２記載の装置。
【請求項４７】
前記ブロック肯定応答は、１つ以上の、トラフィック識別子ごとの情報フィールドを含み、各トラフィック識別子ごとの情報フィールドは、複数の予約ビットを含み、前記複数の予約ビットのうちの１つ以上は、前記複数の装置のうちの１つ以上のうちの１つに対する装置識別子を含む請求項４２記載の装置。
【請求項４８】
前記ブロック肯定応答は、１つ以上のブロック肯定応答情報フィールドを含み、各ブロック肯定応答情報フィールドは、装置識別子フィールドを含み、前記装置識別子フィールドは、前記複数の装置のうちの１つ以上のうちの１つに対する装置識別子を含む請求項４２記載の装置。
【請求項４９】
コンピュータプログラムプロダクトにおいて、
装置により実行される場合に、前記装置に方法を実行させるコンピュータ実行可能命令をその上に記憶しているコンピュータ読み取り可能媒体を含み、
前記方法は、
複数の装置のうちの１つ以上から１つ以上の送信を受信することと、
前記受信した１つ以上の送信に基づいて、少なくとも前記複数の装置に関係するグループ識別子と肯定応答情報とを少なくとも含む肯定応答メッセージを発生させることと、
前記複数の装置に前記肯定応答メッセージを送信することとを含むコンピュータプログラムプロダクト。
【請求項５０】
ワイヤレスノードにおいて、
少なくとも１本のアンテナと、
前記少なくとも１本のアンテナを介して、複数の装置のうちの１つ以上から１つ以上の送信を受信するように構成されている受信機と、
前記受信した１つ以上の送信に基づいて、少なくとも前記複数の装置に関係するグループ識別子と肯定応答情報とを少なくとも含む肯定応答メッセージを発生させるように構成されている処理システムと、
前記少なくとも１本のアンテナを介して、前記複数の装置に前記肯定応答メッセージを送信するように構成されている送信機とを具備するワイヤレスノード。
【請求項５１】
通信の方法において、
複数の装置のうちの１つからワイヤレスノードにデータを送信することと、
前記ワイヤレスノードから肯定応答メッセージを受信し、前記肯定応答メッセージは、少なくとも前記複数の装置に関係するグループ識別子と肯定応答情報とを少なくとも含むことと、
前記グループ識別子と前記肯定応答情報とに少なくとも部分的に基づいて、前記複数の装置のうちの１つに対する肯定応答情報を決定することとを含む方法。
【請求項５２】
前記肯定応答メッセージは、前記複数の装置のうちの１つ以上に対応する装置識別子をさらに含む請求項５１記載の方法。
【請求項５３】
前記装置識別子は、相対装置識別子である請求項５２記載の方法。
【請求項５４】
前記装置識別子は、一時的な識別子である請求項５２記載の方法。
【請求項５５】
データを送信する前に、前記ワイヤレスノードから送信開始メッセージを受信することをさらに含む請求項５１記載の方法。
【請求項５６】
前記送信開始メッセージ中の情報の配列に少なくとも部分的に基づいて、前記複数の装置のうちの１つに対応する装置識別子を決定することをさらに含む請求項５５記載の方法。
【請求項５７】
前記送信開始メッセージは、前記グループ識別子を含む請求項５５記載の方法。
【請求項５８】
前記グループ識別子は、媒体アクセス制御アドレスを含む請求項５１記載の方法。
【請求項５９】
アソシエーションの間に、前記グループ識別子を受信することをさらに含む請求項５１記載の方法。
【請求項６０】
前記複数の装置のうちの１つに対する前記肯定応答情報を決定することは、前記肯定応答メッセージ中の情報の配列に少なくとも部分的に基づいている請求項５１記載の方法。
【請求項６１】
前記肯定応答メッセージは、前記送信したデータの、１つ以上のトラフィックエレメントにそれぞれ関係する１つ以上のトラフィック識別子をさらに含む請求項５１記載の方法。
【請求項６２】
前記肯定応答メッセージは、ブロック肯定応答を含む請求項５１記載の方法。
【請求項６３】
前記ブロック肯定応答は、前記受信機アドレスフィールドを含み、前記受信機アドレスフィールドは、前記グループ識別子を含む請求項６２記載の方法。
【請求項６４】
前記ブロック肯定応答は、前記送信機アドレスフィールドを含み、前記送信機アドレスフィールドは、前記グループ識別子を含む請求項６２記載の方法。
【請求項６５】
通信のための装置において、
前記装置は、グループ識別子に関係する複数の装置のうちの１つであり、
ワイヤレスノードにデータを送信するように構成されている送信機と、
前記ワイヤレスノードから肯定応答メッセージを受信するように構成されている受信機であって、前記肯定応答メッセージは、前記グループ識別子と肯定応答情報とを少なくとも含む、受信機と、
前記グループ識別子と前記肯定応答情報とに少なくとも部分的に基づいて、前記装置に対する肯定応答情報を決定するように構成されている処理システムとを具備する装置。
【請求項６６】
前記肯定応答メッセージは、前記装置に対応する装置識別子をさらに含む請求項６５記載の装置。
【請求項６７】
前記装置識別子は、相対装置識別子である請求項６６記載の装置。
【請求項６８】
前記装置識別子は、一時的な識別子である請求項６６記載の装置。
【請求項６９】
前記受信機は、データを送信する前に、前記ワイヤレスノードから送信開始メッセージを受信するようにさらに構成されている請求項６５記載の装置。
【請求項７０】
前記処理システムは、前記送信開始メッセージ中の情報の配列に少なくとも部分的に基づいて、前記複数の装置のうちの１つに対応する装置識別子を決定するようにさらに構成されている請求項６９記載の装置。
【請求項７１】
前記送信開始メッセージは、前記グループ識別子を含む請求項６９記載の装置。
【請求項７２】
前記グループ識別子は、媒体アクセス制御アドレスを含む請求項６５記載の装置。
【請求項７３】
前記受信機は、アソシエーションの間に、前記グループ識別子を受信するようにさらに構成されている請求項６５記載の装置。
【請求項７４】
前記処理システムは、前記受信された肯定応答メッセージ中の情報の配列に少なくとも部分的に基づいて、前記装置に対する前記肯定応答情報を決定するようにさらに構成されている請求項６５記載の装置。
【請求項７５】
前記肯定応答メッセージは、前記送信したデータの、１つ以上のトラフィックエレメントにそれぞれ関係する１つ以上のトラフィック識別子をさらに含む請求項６５記載の装置。
【請求項７６】
前記肯定応答メッセージは、ブロック肯定応答を含む請求項６５記載の装置。
【請求項７７】
前記ブロック肯定応答は、前記受信機アドレスフィールドを含み、前記受信機アドレスフィールドは、前記グループ識別子を含む請求項７６記載の装置。
【請求項７８】
前記ブロック肯定応答は、前記送信機アドレスフィールドを含み、前記送信機アドレスフィールドは、前記グループ識別子を含む請求項７６記載の装置。
【請求項７９】
通信のための装置において、
前記装置は、グループ識別子に関係する複数の装置のうちの１つであり、
ワイヤレスノードにデータを送信する手段と、
前記ワイヤレスノードから肯定応答メッセージを受信する手段であって、前記肯定応答メッセージは、前記グループ識別子と肯定応答情報とを少なくとも含む、手段と、
前記グループ識別子と前記肯定応答情報とに少なくとも部分的に基づいて、前記装置に対する肯定応答情報を決定する手段とを具備する装置。
【請求項８０】
前記肯定応答メッセージは、前記装置に対応する装置識別子をさらに含む請求項７９記載の装置。
【請求項８１】
前記装置識別子は、相対装置識別子である請求項８０記載の装置。
【請求項８２】
前記装置識別子は、一時的な識別子である請求項８０記載の装置。
【請求項８３】
前記受信する手段は、データを送信する前に、前記ワイヤレスノードから送信開始メッセージを受信するようにさらに構成されている請求項７９記載の装置。
【請求項８４】
前記決定する手段は、前記送信開始メッセージ中の情報の配列に少なくとも部分的に基づいて、前記装置に対応する装置識別子を決定するようにさらに構成されている請求項８３記載の装置。
【請求項８５】
前記送信開始メッセージは、前記グループ識別子を含む請求項８３記載の装置。
【請求項８６】
前記グループ識別子は、媒体アクセス制御アドレスを含む請求項７９記載の装置。
【請求項８７】
前記受信する手段は、アソシエーションの間に、前記グループ識別子を受信するようにさらに構成されている請求項７９記載の装置。
【請求項８８】
前記決定する手段は、前記受信された肯定応答メッセージ中の情報の配列に少なくとも部分的に基づいて、前記装置に対する前記肯定応答情報を決定するようにさらに構成されている請求項７９記載の装置。
【請求項８９】
前記肯定応答メッセージは、前記送信したデータの、１つ以上のトラフィックエレメントにそれぞれ関係する１つ以上のトラフィック識別子をさらに含む請求項７９記載の装置。
【請求項９０】
前記肯定応答メッセージは、ブロック肯定応答を含む請求項７９記載の装置。
【請求項９１】
前記ブロック肯定応答は、前記受信機アドレスフィールドを含み、前記受信機アドレスフィールドは、前記グループ識別子を含む請求項９０記載の装置。
【請求項９２】
前記ブロック肯定応答は、前記送信機アドレスフィールドを含み、前記送信機アドレスフィールドは、前記グループ識別子を含む請求項９０記載の装置。
【請求項９３】
コンピュータプログラムプロダクトにおいて、
グループ識別子に関係する複数の装置のうちの１つである装置により実行される場合に、前記装置に方法を実行させるコンピュータ実行可能命令をその上に記憶しているコンピュータ読み取り可能媒体を含み、
前記方法は、
ワイヤレスノードにデータを送信することと、
前記ワイヤレスノードから肯定応答メッセージを受信し、前記肯定応答メッセージは、前記グループ識別子と肯定応答情報とを少なくとも含むことと、
前記グループ識別子と前記肯定応答情報とに少なくとも部分的に基づいて、前記装置に対する肯定応答情報を決定することとを含むコンピュータプログラムプロダクト。
【請求項９４】
アクセス端末において、
少なくとも１本のアンテナと、
前記少なくとも１本のアンテナを介して、ワイヤレスノードにデータを送信するように構成されている送信機と、
前記少なくとも１本のアンテナを介して、前記ワイヤレスノードから肯定応答メッセージを受信するように構成されている受信機であって、前記肯定応答メッセージは、肯定応答情報と、前記アクセス端末と少なくとも１つの他の装置とに関係するグループ識別子とを少なくとも含む、受信機と、
前記グループ識別子と前記肯定応答情報とに少なくとも部分的に基づいて、前記アクセス端末に対する肯定応答情報を決定するように構成されている処理システムとを具備するアクセス端末。
【発明の詳細な説明】
【関連出願への相互参照】
【０００１】
本出願は、２００９年１２月８日に出願され、参照によりそのすべてがここに組み込まれている、米国仮出願第６１／２６７，７３４に対して、合衆国法典第３５部第１１９（ｅ）条の下で優先権を主張する。
【０００２】
Ｉ．分野
下記の記述は、一般的に、通信システムに関し、さらに詳細には、肯定応答スキームに対する方法および装置に関連する。
【０００３】
ＩＩ．背景
ワイヤレス通信システムに対して要求される増加する帯域幅要件の問題を取り扱うために、複数のユーザ端末が、高データスループットを達成しつつ、チャネルリソースを共有することにより、単一のアクセスポイントと通信することが可能になるように、異なるスキームが開発されている。制限された通信リソースにより、アクセスポイントと複数の端末との間をパスするトラフィック量を減少させることが望ましい。例えば、アクセスポイントが複数の端末からの送信に肯定応答するとき、すべての送信の肯定応答を完了するためのトラフィック量を最小化することが望ましい。したがって、複数の端末からの送信に肯定応答するための向上したプロトコルに対する必要性が存在する。
【概要】
【０００４】
１つの態様では、通信の方法を提供する。方法は、一般的に、複数の装置のうちの１つ以上から１つ以上の送信を受信することと、受信した１つ以上の送信に基づいて、少なくとも複数の装置に関係するグループ識別子と肯定応答情報とを少なくとも含む肯定応答メッセージを発生させることと、複数の装置に肯定応答メッセージを送信することとを含む。
【０００５】
別の態様では、通信のための装置を提供する。装置は、一般的に、複数の装置のうちの１つ以上から１つ以上の送信を受信するように構成されている受信機と、受信した１つ以上の送信に基づいて、少なくとも複数の装置に関係するグループ識別子と肯定応答情報とを少なくとも含む肯定応答メッセージを発生させるように構成されている処理システムと、複数の装置に肯定応答メッセージを送信するように構成されている送信機とを具備する。
【０００６】
別の態様では、装置は、一般的に、複数の装置のうちの１つ以上から１つ以上の送信を受信する手段と、受信した１つ以上の送信に基づいて、少なくとも複数の装置に関係するグループ識別子と肯定応答情報とを少なくとも含む肯定応答メッセージを発生させる手段と、複数の装置に肯定応答メッセージを送信する手段とを具備する。
【０００７】
別の態様では、コンピュータプログラムプロダクトを提供する。コンピュータプログラムプロダクトは、一般的に、装置により実行される場合に、装置に方法を実行させるコンピュータ実行可能命令をその上に記憶しているコンピュータ読み取り可能媒体を含む。方法は、一般的に、複数の装置のうちの１つ以上から１つ以上の送信を受信することと、受信した１つ以上の送信に基づいて、少なくとも複数の装置に関係するグループ識別子と肯定応答情報とを少なくとも含む肯定応答メッセージを発生させることと、複数の装置に肯定応答メッセージを送信することとを含む。
【０００８】
別の態様では、ワイヤレスノードを提供する。ワイヤレスノードは、一般的に、少なくとも１本のアンテナと、少なくとも１本のアンテナを介して、複数の装置のうちの１つ以上から１つ以上の送信を受信するように構成されている受信機と、受信した１つ以上の送信に基づいて、少なくとも複数の装置に関係するグループ識別子と肯定応答情報とを少なくとも含む肯定応答メッセージを発生させるように構成されている処理システムと、少なくとも１本のアンテナを介して、複数の装置に肯定応答メッセージを送信するように構成されている送信機とを具備する。
【０００９】
１つの態様では、通信の方法を提供する。方法は、一般的に、複数の装置のうちの１つからワイヤレスノードにデータを送信することと、ワイヤレスノードから肯定応答メッセージを受信し、肯定応答メッセージは、少なくとも複数の装置に関係するグループ識別子と肯定応答情報とを少なくとも含むことと、グループ識別子と肯定応答情報とに少なくとも部分的に基づいて、複数の装置のうちの１つに対する肯定応答情報を決定することとを含む。
【００１０】
別の態様では、通信のための装置を提供する。装置は、グループ識別子に関係する複数の装置のうちの１つであり、一般的に、ワイヤレスノードにデータを送信するように構成されている送信機と、ワイヤレスノードから肯定応答メッセージを受信するように構成されている受信機であって、肯定応答メッセージは、グループ識別子と肯定応答情報とを少なくとも含む、受信機と、グループ識別子と肯定応答情報とに少なくとも部分的に基づいて、装置に対する肯定応答情報を決定するように構成されている処理システムとを具備する。
【００１１】
別の態様では、装置は、一般的に、ワイヤレスノードにデータを送信する手段と、ワイヤレスノードから肯定応答メッセージを受信する手段であって、肯定応答メッセージは、グループ識別子と肯定応答情報とを少なくとも含む、手段と、グループ識別子と肯定応答情報とに少なくとも部分的に基づいて、装置に対する肯定応答情報を決定する手段とを具備する。
【００１２】
別の態様では、コンピュータプログラムプロダクトを提供する。コンピュータプログラムプロダクトは、一般的に、グループ識別子に関係する複数の装置のうちの１つである装置により実行される場合に、装置に方法を実行させるコンピュータ実行可能命令をその上に記憶しているコンピュータ読み取り可能媒体を含む。方法は、一般的に、ワイヤレスノードにデータを送信することと、ワイヤレスノードから肯定応答メッセージを受信し、肯定応答メッセージは、グループ識別子と肯定応答情報とを少なくとも含むことと、グループ識別子と肯定応答情報とに少なくとも部分的に基づいて、装置に対する肯定応答情報を決定することとを含む。
【００１３】
別の態様では、アクセス端末を提供する。アクセス端末は、一般的に、少なくとも１本のアンテナと、少なくとも１本のアンテナを介して、ワイヤレスノードにデータを送信するように構成されている送信機と、少なくとも１本のアンテナを介して、ワイヤレスノードから肯定応答メッセージを受信するように構成されている受信機であって、肯定応答メッセージは、肯定応答情報と、アクセス端末と少なくとも１つの他の装置とに関係するグループ識別子とを少なくとも含む、受信機と、グループ識別子と肯定応答情報とに少なくとも部分的に基づいて、アクセス端末に対する肯定応答情報を決定するように構成されている処理システムとを具備する。
【図面の簡単な説明】
【００１４】
後に続く詳細な説明中で、および、添付している図面中で、本発明の、これらの実例の態様および他の実例の態様を説明する。  
【図１】図１は、本開示のある態様にしたがって構成されているワイヤレス通信ネットワークのダイヤグラムである。
【図２】図２は、図１のワイヤレス通信ネットワークにおいて、ワイヤレスノード中にフロントエンド処理システムを備えるワイヤレスノードのブロックダイヤグラムである。
【図３】図３は、処理システムを備える装置のブロックダイヤグラムである。
【図４】図４は、通信のタイミングダイヤグラムである。
【図５】図５は、絶対装置識別子を含むブロック肯定応答フレームを図示しているダイヤグラムである。
【図６】図６は、グループ識別子と相対装置識別子とを含むブロック肯定応答フレームの、コンテンツおよび構造を図示しているダイヤグラムである。
【図７】図７は、グループ識別子を含み、装置識別子を含まないブロック肯定応答フレームの、コンテンツおよび構造を図示しているダイヤグラムである。
【図８Ａ】図８Ａは、１つの態様にしたがった、ブロック肯定応答フレームの、コンテンツおよび構造を図示しているダイヤグラムである。
【図８Ｂ】図８Ｂは、ブロック肯定応答制御フィールドの、コンテンツおよび構造を図示しているダイヤグラムである。
【図８Ｃ】図８Ｃは、ブロック肯定応答情報フィールドの、コンテンツおよび構造を図示しているダイヤグラムである。
【図８Ｄ】図８Ｄは、トラフィック識別子ごとの情報フィールドの、コンテンツおよび構造を図示しているダイヤグラムである。
【図９】図９は、別の態様にしたがった、ブロック肯定応答情報フィールドの、コンテンツおよび構造を図示しているダイヤグラムである。
【図１０】図１０は、マルチキャストブロック肯定応答を使用して、送信に肯定応答する方法のフローチャートである。
【図１１】図１１は、集約肯定応答情報を受信および解釈する方法を説明しているフローチャートである。
【図１２】図１２は、図１に図示されている通信システム中で使用する装置のある態様を図示している。
【図１３】図１３は、図１に図示されている通信システム中で使用する装置の別の態様を図示している。
【００１５】
一般的な実践にしたがって、図面のうちのいくつかは、明確にするために、簡略化されていることがある。したがって、図面は、所定の装置（例えば、デバイス）または方法のすべての構成要素を描写していないかもしれない。最後に、明細書および図面にわたって、同一の参照番号を使用して、同一の特徴を示している。
【詳細な説明】
【００１６】
添付している図面を参照して、新規なシステム、装置、および方法の、さまざまな態様を、より完全に下記に説明する。しかしながら、教示する開示は、異なる形態で具現化してもよく、本開示全体を通して提示される何らかの特定の構造または機能に限定されるものとして解釈すべきではない。むしろ、本開示が徹底的で完璧なものとなり、本開示の範囲を当業者に完全に伝えるように、これらの態様を提供する。ここでの教示に基づくと、本開示の範囲は、本開示の他の何らかの態様から独立して実現するか、または、本開示の他の何らかの態様と組み合わせて実現するかに関わらず、ここに開示される新規なシステム、装置、および方法の何らかの態様をカバーすることを意図していることを、当業者は正しく認識すべきである。例えば、ここに述べる任意の数の態様を使用して、装置を実現してもよく、または、方法を実施してもよい。さらに、本開示の範囲は、ここに述べる発明のさまざまな態様に加えて、あるいは、ここに述べる発明のさまざまな態様の他に、他の、構造、機能性、または、構造および機能性を使用して実施するこのような装置あるいは方法をカバーすることを意図している。請求項の１つ以上のエレメントにより、ここで開示する何らかの態様を具現化してもよいことを理解すべきである。
【００１７】
図１を参照して、ワイヤレスネットワークのいくつかの態様をこれから提示する。ワイヤレスネットワーク１００が、一般的にアクセスポイント１１０ならびに複数のアクセス端末または局（ＳＴＡ）１２０として指定されているいくつかのワイヤレスノードにより示されている。各ワイヤレスノードは、受信および／または送信が可能である。以下に続く詳細な説明では、ダウンリンク通信に対しては、送信ノードを示すために“アクセスポイント”という用語を使用し、受信ノードを示すために“アクセス端末”という用語を使用するのに対し、アップリンク通信に対しては、受信ノードを示すために“アクセスポイント”という用語を使用し、送信ノードを示すために“アクセス端末”という用語を使用する。しかしながら、アクセスポイントおよび／またはアクセス端末に対して他の専門用語または専門語を使用してもよいことを当業者は容易に理解するだろう。例として、アクセスポイントは、基地局、基地トランシーバ局、局、端末、ノード、ワイヤレスノード、アクセスポイントとして動作するアクセス端末、または、他の何らかの適切な専門用語として呼ぶことがある。アクセス端末は、ユーザ端末、移動局、加入者局、局、ワイヤレスデバイス、端末、ノード、ワイヤレスノード、または、他の何らかの適切な専門用語として呼ぶことがある。本開示全体を通して説明するさまざまな概念は、それらの特定の専門語に関係なく、すべての適切なワイヤレスノードに適用することを意図している。
【００１８】
ワイヤレスネットワーク１００は、アクセス端末１２０に対するカバレッジを提供するために、地理的な領域全体を通して分散されている任意の数のアクセスポイントをサポートしてもよい。システム制御装置１３０を使用して、アクセスポイントの調整および制御を行うとともに、アクセス端末１２０に対して他のネットワーク（例えば、インターネット）へのアクセスを提供してもよい。簡潔さのために、１つのアクセスポイント１１０が示されている。アクセスポイントは、一般的に、カバレッジの地理的な領域中のアクセス端末にバックホールサービスを提供する固定端末である。しかしながら、アクセスポイントは、何らかの応用では、移動性のものであってもよい。固定のものまたは移動性のものであってもよいアクセス端末は、アクセスポイントのバックホールサービスを利用するか、または、他のアクセス端末とのピア・ツー・ピア通信に携わる。アクセス端末の例は、電話機（例えば、セルラ電話機）、ラップトップコンピュータ、デスクトップコンピュータ、パーソナルデジタルアシスタント（ＰＤＡ）、デジタルオーディオプレーヤー（例えば、ＭＰ３プレーヤー）、カメラ、ゲームコンソール、または、他の何らかの適切なワイヤレスノードを含む。
【００１９】
ワイヤレスネットワーク１００は、ＭＩＭＯ技術をサポートしてもよい。ＭＩＭＯ技術を使用して、アクセスポイント１１０は、空間分割多元接続（ＳＤＭＡ）を使用して、複数のアクセス端末１２０と同時に通信してもよい。ＳＤＭＡは、同じ周波数チャネルを共有し、結果として、より高いユーザ容量を提供するために、異なる受信機に同時に複数のストリームを送信することを可能にする多元接続スキームである。各データストリームを空間的にプリコーディングし、その後、ダウンリンク上で異なる送信アンテナを通して、空間的にプリコーディングされた各ストリームを送信することにより、これは達成される。空間的にプリコーディングされたデータストリームは、異なる空間シグニチャを持つアクセス端末に到着し、これにより、各アクセス端末１２０が、そのアクセス端末１２０に対して向けられたデータストリームを回復することが可能になる。アップリンク上では、各アクセス端末１２０が、空間的にプリコーディングされたデータストリームを送信し、これにより、アクセスポイント１１０が、空間的にプリコーディングされた各データストリームのソースを識別することが可能になる。ここでは“プリコーディング”という用語を使用するが、一般的に、データストリームの、プリコーディング、エンコーディング、デコーディング、および／または、ポストコーディングのプロセスを含むように、“コーディング”という用語を使用してもよいことにも留意すべきである。
【００２０】
ある機能性をイネーブルするために、１つ以上のアクセス端末１２０には、複数のアンテナが装備されている。このコンフィギュレーションでは、例えば、アクセスポイント１１０における複数のアンテナを使用して、複数のアンテナのアクセスポイントと通信して、付加的な帯域幅または送信電力なしでデータスループットを向上させることができる。送信機における高データレート信号を、異なる空間シグニチャを持つ複数のより低いレートのデータストリームに分けることにより、これを達成してもよく、したがって、受信機が、これらのストリームを複数のチャネルに分離し、ストリームを適切に合成して、高レートのデータ信号を回復することが可能になる。
【００２１】
以下の開示の一部は、ＭＩＭＯ技術もサポートするアクセス端末を説明するが、ＭＩＭＯ技術をサポートしないアクセス端末をサポートするようにも、アクセスポイント１１０を構成してもよい。このアプローチにより、より古いバージョンのアクセス端末（すなわち、“レガシー”端末）を、ワイヤレスネットワーク中に配置したままにし、それらの耐用寿命を延ばすことを可能にする一方で、より新しいＭＩＭＯアクセス端末を適宜導入することが可能になる。
【００２２】
以下に続く詳細な説明では、直交周波数分割多重化（ＯＦＤＭ）のような、何らかの適切なワイヤレス技術をサポートするＭＩＭＯシステムを参照して、本開示のさまざまな観点を説明する。ＯＦＤＭは、正確な周波数において間隔が空けられている多数の副搬送波にわたってデータを配信する拡散スペクトル技術である。間隔を空けることは、受信機が副搬送波からデータを回復することを可能にする“直交性”を提供する。ＯＦＤＭシステムは、ＩＥＥＥ８０２．１１または他の何らかのエアインターフェース標準規格を実現してもよい。他の適切なワイヤレス技術は、例として、コード分割多元接続（ＣＤＭＡ）、時分割多元接続（ＴＤＭＡ）、または、他の何らかの適切なワイヤレス技術、あるいは、適切なワイヤレス技術の何らかの組み合わせを含んでいる。ＣＤＭＡシステムは、ＩＳ−２０００、ＩＳ−９５、ＩＳ−８５６、ワイドバンドＣＤＭＡ（ＷＣＤＭＡ）、または、他の何らかの適切なエアインターフェース標準規格を実現してもよい。ＴＤＭＡシステムは、グローバルシステムフォーモバイルコミュニケーション（ＧＳＭ（登録商標））、または、他の何らかの適切なエアインターフェース標準規格を実現してもよい。本開示のさまざまな観点が、何らかの特定のワイヤレス技術および／またはエアインターフェース標準規格に限定されないことを当業者は容易に正しく認識するだろう。
【００２３】
アクセスポイントであろうと、アクセス端末であろうと、ワイヤレスノードは、レイヤ構造を利用するプロトコルにより実現され、レイヤ構造は、共有ワイヤレスチャネルへのワイヤレスノードのインターフェースとなる、すべての物理的および電気的仕様を実現する物理（ＰＨＹ）レイヤと、共有ワイヤレスチャネルへのアクセスを調整する媒体アクセス制御（ＭＡＣ）レイヤと、一例として、スピーチおよびマルチメディアのコーデックならびにグラフィック処理を含む、さまざまなデータ処理機能を実行するアプリケーションレイヤとを含む。追加のプロトコルレイヤ（例えば、ネットワークレイヤ、トランスポートレイヤ）が、何らかの特定のアプリケーションに対して必要とされ得る。いくつかの構成において、ワイヤレスノードは、アクセスポイントとアクセス端末との間の、または、２つのアクセス端末の間の中継ポイントとして作動してもよく、それゆえに、アプリケーションレイヤを必要としないかもしれない。特定のアプリケーションおよび全システムに課される全設計制約次第で、任意のワイヤレスノードに対して適切なプロトコルを、当業者は容易に実現できるだろう。
【００２４】
ワイヤレスノードが送信モードにあるとき、アプリケーションレイヤは、データを処理し、データをパケットにセグメント化し、データパケットをＭＡＣレイヤに提供する。ＭＡＣレイヤは、ＭＡＣパケットのペイロードによって搬送される、アプリケーションレイヤからの各データパケットによりＭＡＣパケットをアセンブルする。代わりに、ＭＡＣパケットに対するペイロードは、アプリケーションレイヤからの、データパケットまたは複数のデータパケットの断片を搬送してもよい。各ＭＡＣパケットは、ＭＡＣヘッダと、誤り検出コードとを含む。ＭＡＣパケットは、ＭＡＣプロトコルデータユニット（ＭＰＤＵ）と呼ばれることもあるが、フレーム、パケット、タイムスロット、セグメント、または、他の任意の適切な専門語で呼ばれることもある。
【００２５】
ＭＡＣが送信するのを決定したとき、ＭＡＣは、ＭＡＣパケットのブロックをＰＨＹレイヤに提供する。ＰＨＹレイヤは、ＭＡＣパケットのブロックをペイロードにアセンブルし、プリアンブルを付加することによって、ＰＨＹパケットをアセンブルする。後に、より詳細に説明するように、ＰＨＹレイヤはまた、さまざまな信号処理機能（例えば、変調、コード化、空間処理など）を担当する。物理レイヤコンバージェンスプロトコル（ＰＬＣＰ）とも呼ばれることがあるプリアンブルは、ＰＨＹパケットの開始を検出し、送信機のノードデータクロックに同期させるために、受信ノードによって使用される。ＰＨＹパケットは、物理レイヤプロトコルデータユニット（ＰＬＰＤＵ）と呼ばれることもあるが、フレーム、パケット、タイムスロット、セグメント、または、他の任意の適切な専門語で呼ばれることもある。
【００２６】
ワイヤレスノードが受信モードにあるとき、プロセスは逆にされる。すなわち、ＰＨＹレイヤは、ワイヤレスチャネルからの到来するＰＨＹパケットを検出する。プリアンブルは、ＰＨＹレイヤが、ＰＨＹパケットに照準を定めて、さまざまな信号処理機能（例えば、復調、デコーディング、空間処理など）を実行することを可能にする。いったん処理されると、ＰＨＹレイヤは、ＰＨＹパケットのペイロード中で搬送されたＭＡＣパケットのブロックを回復して、ＭＡＣパケットをＭＡＣレイヤに提供する。
【００２７】
ＭＡＣレイヤは、各ＭＡＣパケットに対して誤り検出コードをチェックして、それが首尾よくデコードされたかどうかを決定する。ＭＡＣパケットに対する誤り検出コードが、ＭＡＣパケットが首尾よくデコードされたことを示す場合、ＭＡＣパケットに対するペイロードが、アプリケーションレイヤに提供される。ＭＡＣパケットに対する誤り検出コードが、ＭＡＣパケットが失敗してデコードされたことを示す場合、ＭＡＣパケットは廃棄される。どのデータパケットが首尾よくデコードされたかを示す、ブロック肯定応答（ＢＡＣＫ）が、送信ノードに返送されてもよい。送信ノードはＢＡＣＫを使用して、どのデータパケットであるかを決定し、場合によっては、再送を必要とする。
【００２８】
図２は、ＰＨＹレイヤの信号処理機能の例を示す概念的なブロックダイヤグラムである。送信モードでは、ＴＸデータプロセッサ２０２を使用して、ＭＡＣレイヤからデータを受け取り、受信ノードにおいて順方向誤り訂正（ＦＥＣ）を促進するために、データをエンコード（例えば、ターボコード）してもよい。エンコーディング処理は、結果としてコードシンボルのシーケンスをもたらし、コードシンボルのシーケンスは、共にブロック化され、ＴＸデータプロセッサ２０２により信号配列にマッピングされて、変調シンボルのシーケンスが生成される。
【００２９】
ＯＦＤＭを実現するワイヤレスノードにおいて、ＴＸデータプロセッサ２０２からの変調シンボルを、変調シンボルの空間処理を実行するＴＸ空間プロセッサ２０４に提供してもよい。これは、変調シンボルをＯＦＤＭ変調器２０６に提供する前に、変調シンボルを空間プリコードすることによって、達成され得る。
【００３０】
ＯＦＤＭ変調器２０６は、変調シンボルを並列ストリームに分ける。各ストリームは、その後、ＯＦＤＭ副搬送波にマッピングされ、そして、逆高速フーリエ変換（ＩＦＦＴ）を使用して共に合成され、時間ドメインＯＦＤＭストリームが生成される。空間的にプリコーディングされた各ＯＦＤＭストリームは、その後、それぞれのトランシーバ２０８ａないし２０８ｎを介して、異なるアンテナ２１０ａないし２１０ｎに提供される。各トランシーバ２０８ａないし２０８ｎは、ワイヤレスチャネルを通しての送信のために、それぞれのプリコーディングされたストリームによりＲＦ搬送波を変調する。
【００３１】
受信モードでは、各トランシーバ２０８ａないし２０８ｎは、そのそれぞれのアンテナ２１０ａないし２１０ｎを通して信号を受信する。各トランシーバ２０８ａないし２０８ｎを使用して、ＲＦ搬送波上に変調された情報を回復し、ＯＦＤＭ復調器２２０に情報を提供してもよい。
【００３２】
ＲＸ空間プロセッサ２２０は、ワイヤレスノード２００に対して向けられた何らかの空間ストリームを回復するために、情報上で空間処理を実行する。チャネル相関行列反転（ＣＣＭＩ）、最小平均二乗誤差（ＭＭＳＥ）、ソフト干渉消去（ＳＩＣ）、または、他の何らかの適切な技術にしたがって、空間処理を実行してもよい。複数の空間ストリームがワイヤレスノード２００に対して向けられている場合には、ＲＸ空間プロセッサ２２２によりそれらを合成してもよい。
【００３３】
ＯＦＤＭを実現するワイヤレスノードでは、トランシーバ２０８ａないし２０８ｎからのストリーム（または、合成されたストリーム）が、ＯＦＤＭ復調器２２０に提供される。ＯＦＤＭ復調器２２０は、高速フーリエ変換（ＦＦＴ）を使用して、ストリーム（または、合成されたストリーム）を時間ドメインから周波数ドメインにコンバートする。周波数ドメイン信号は、ＯＦＤＭ信号の各副搬送波に対して別個のストリームを含んでいる。ＯＦＤＭ復調器２２０は、各副搬送波上で搬送されたデータ（すなわち、変調シンボル）を回復し、ＲＸ空間プロセッサ２２２にストリームを送る前に、変調シンボルのストリーム中にデータを多重化する。
【００３４】
ＲＸ空間プロセッサ２２２は、ワイヤレスノード２００に対して向けられた何らかの空間ストリームを回復するために、情報上で空間処理を実行する。チャネル相関行列反転（ＣＣＭＩ）、最小平均二乗誤差（ＭＭＳＥ）、ソフト干渉消去（ＳＩＣ）、または、他の何らかの適切な技術にしたがって、空間処理を実行してもよい。複数の空間ストリームがワイヤレスノード２００に対して向けられている場合には、ＲＸ空間プロセッサ２２２によりそれらを合成してもよい。
【００３５】
ＲＸデータプロセッサ２２４を使用して、変調シンボルを翻訳して信号配列中の正しいポイントに戻してもよい。ワイヤレスチャネル中のノイズおよび他の妨害のために、変調シンボルは、本来の信号配列中のポイントのまさにその位置に対応していないことがある。ＲＸデータプロセッサ２２４は、受信したポイントと、信号配列中の有効なシンボルの位置との間の最短距離を見つけることにより、どの変調シンボルが送信された可能性が最も高いかを検出する。例えば、ターボコードのケースでは、所定の変調シンボルに関係付けられているコードシンボルの対数尤度比（ＬＬＲ）を計算するために、これらの軟判定を使用してもよい。その後、ＲＸデータプロセッサ２２４は、ＭＡＣレイヤにデータを提供する前に、本来送信されたデータをデコードするために、コードシンボルＬＬＲのシーケンスを使用する。
【００３６】
図３は、ワイヤレスノード中の処理システム３００に対するハードウェア構成の例を図示する。この例において、処理システム３００は、バス３０２により一般的に表されているバスアーキテクチャにより実現され得る。バス３０２は、処理システム３００の特定のアプリケーションおよび全設計制約次第で、任意の数の相互接続バスおよびブリッジを含んでいてもよい。バスは、プロセッサ３０４、コンピュータ読み取り可能媒体３０６、バスインターフェース３０８を含むさまざまな回路を互いに結合する。バスインターフェース３０８を使用して、バス３０２を介して、ネットワークアダプタ３１０を、とりわけ、処理システム３００に接続してもよい。ネットワークインターフェース３１０を使用して、ＰＨＹレイヤの信号処理機能を実現してもよい。アクセス端末１１０（図１参照）のケースにおいて、ユーザインターフェース３１２（例えば、キーパッド、ディスプレイ、マウス、ジョイスティックなど）を、バスインターフェース３０８を介してバスに接続してもよい。バス３０２はまた、タイミング源や、周辺装置や、電圧調整器や、パワーマネージメント回路や、これらに類似するもののような、さまざまな他の回路を結合してもよく、これらの回路は技術的に十分に知られているため、さらに記述しない。
【００３７】
プロセッサ３０４は、バスの管理、および、コンピュータ読み取り可能媒体３０８上に記憶されているソフトウェアの実行を含む、一般的な処理を担当する。プロセッサ３０４は、１つ以上の、汎用および／または専用のプロセッサにより実現されてもよい。例として、マイクロプロセッサ、マイクロコントローラ、デジタル信号プロセッサ（ＤＳＰ）、フィールドプログラム可能ゲートアレイ（ＦＰＧＡ）、プログラム可能論理デバイス（ＰＬＤ）、状態機械、ゲート論理、ディスクリートハードウェア回路、および、本開示全体を通して記述されているさまざまな機能性を実行するように構成されている他の適切なハードウェアを含む。
【００３８】
処理システム中の１つ以上のプロセッサは、ソフトウェアを実行してもよい。ソフトウェア、ファームウェア、ミドルウェア、マイクロコード、ハードウェア記述言語、または、その他の場合のいずれを参照しようと、ソフトウェアは、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、プロシージャ、関数などを意味するように広く解釈される。
【００３９】
ソフトウェアは、コンピュータ読み取り可能媒体上に存在してもよい。コンピュータ読み取り可能媒体は、例として、磁気記憶デバイス（例えば、ハードディスク、フロッピー（登録商標）ディスク、磁気ストリップ）、光学ディスク（例えば、コンパクトディスク（ＣＤ）、デジタル汎用ディスク（ＤＶＤ））、スマートカード、フラッシュ（登録商標）メモリデバイス（例えば、カード、スティック、キードライブ）、ランダムアクセスメモリ（ＲＡＭ）、リードオンリーメモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、搬送波、伝送路、信号、または、ソフトウェアを記憶もしくは送信するための他の何らかの適切な媒体を含んでもよい。コンピュータ読み取り可能媒体は、処理システム中に常駐してもよく、処理システムの外部であってもよく、または、処理システムを含む複数のエンティティにわたって分散されてもよい。コンピュータ読み取り可能媒体は、コンピュータプログラムプロダクト中で具現化することができる。例として、コンピュータプログラムプロダクトは、パッケージングマテリアル中にコンピュータ読み取り可能媒体を含むことがある。
【００４０】
図３中で図示されているハードウェア構成において、コンピュータ読み取り可能媒体３０６は、プロセッサ３０４から分離した、処理システム３００の一部として示されている。しかしながら、コンピュータ読み取り可能媒体３０６、または、その何らかの部分は、処理システム３００の外部にあってもよいことを、当業者は容易に理解するだろう。一例として、コンピュータ読み取り可能媒体３０６は、伝送路、データにより変調される搬送波、および／または、ワイヤレスノードから分離したコンピュータプロダクトを含んでいてもよく、それらのすべては、バスインターフェース３０８を通してプロセッサ３０４によってアクセスされ得る。代わりに、または、加えて、コンピュータ読み取り可能媒体３０６、または、その何らかの部分は、キャッシュおよび／または汎用レジスタファイルのケースのように、プロセッサ３０４に統合されていてもよい。同様に、バスインターフェース３０８、ネットワークアダプタ３１０、およびユーザインターフェース３１２は、処理システム３００の内部であってもよく、あるいは、処理システム３００の外部であってもよい。
【００４１】
処理システム３００は、１つ以上のプロセッサにより実現することができる。１つ以上のプロセッサは、汎用マイクロプロセッサ、マイクロ制御装置、デジタル信号プロセッサ（ＤＳＰ）、フィールドプログラマブルゲートアレイ（ＦＰＧＡ）、プログラマブル論理デバイス（ＰＬＤ）、制御装置、状態機械、ゲート論理、ディスクリートハードウェアコンポーネント、専用ハードウェア有限状態機械、あるいは、情報の計算または他の操作を実行できる他の何らかの適切なエンティティのうちの任意の組み合わせにより実現してもよい。
【００４２】
図４は、タイミングダイヤグラム４００を図示している。タイミングダイヤグラムは、１つのアクセスポイントが複数の局に関係しているシステムにより図示されている。例えば、システムは、局１、局２、局３、局４を少なくとも備える。もちろん、システムは、追加の局、または、より少ない局を備えていてもよい。描写されているように、局１は、データをアクセスポイントに送信する機会を要求する送信要求４０３を、アクセスポイントに送る。要求に応答して、アクセスポイントは、肯定応答４０５を局１に送る。局４はまた、送信要求４０７をアクセスポイントに送ってもよい。アクセスポイントは、肯定応答４０９により局４に応答してもよい。さまざまな送信要求４０３および４０７を受信して肯定応答した後に、アクセスポイントは、送信開始メッセージ４１１を少なくとも局１および局４にマルチキャストしてもよい。送信開始メッセージ４１１は、局１および局４が、送信開始メッセージ４１１中の情報にしたがって、データの送信を開始できることを示している。送信開始メッセージ４１１に応答して、局１および局４は、それぞれのデータメッセージ４１３および４１５をアクセスポイントに送り始める。上記で議論したように、アクセスポイントは、複数のアンテナを有していてもよく、双方の局からの送信を同時に受信する能力があってもよい。別の態様では、送信開始メッセージ４１１は、局１および局４がその間にデータメッセージを送信することになる単一のフレーム内における異なる時間を示してもよい。したがって、それぞれのデータメッセージ４１３および４１５は、異なる時間において受信されてもよい。それぞれのデータメッセージ４１３および４１５を受信した後に、アクセスポイントは、局に肯定応答を送ってもよい。以下に記述するように、双方の局に対する肯定応答情報のすべてを含む、単一のブロック肯定応答メッセージ４１７を、局１および局４に送ることは有益であるかもしれない。マルチキャストブロック肯定応答を使用することは、各局に別々の肯定応答メッセージを送ることと比較して、オーバーヘッドに関してセーブできる。さらに、以下に記述するように、マルチキャストブロック肯定応答は、ＩＥＥＥ８０２．１１のような通信標準規格への大規模な修正なしに実現され得る。
【００４３】
図５は、絶対装置識別子を含むブロック肯定応答メッセージを図示しているダイヤグラムである。ブロック肯定応答メッセージ５０１は、局１に関係する絶対装置識別子５１１により開始する。１つの態様では、局１に関係する絶対装置識別子５１１は、アクセスポイントに関係する局の中で、局１ ５１１を一意的に参照することができる。絶対装置識別子は、アソシエーションのとき、アクセスポイントにより局に割り振られてもよい。例えば、絶対装置識別子は、アソシエーション識別子（ＡＩＤ）であるかもしれない。アソシエーション識別子は、例えば、１２ビットであってもよい。別の態様では、局１に関係する絶対装置識別子５１１は、アクセスポイントに関係する局と、アクセスポイントに関係しない局の間で、局１ ５１１を一意的に参照することができる。絶対装置識別子は、製造者により局に割り当てられて、局のハードウェア中に記憶されてもよい。より詳細には、絶対装置識別子は、アクセスポイントに関係付けられる前に、局に割り当てられてもよい。例えば、絶対装置識別子は、媒体アクセス制御（ＭＡＣ）アドレスであってもよい。媒体アクセス制御アドレスは、例えば、４８ビットとすることができる。
【００４４】
ブロック肯定応答応答メッセージ５０１は、局１に対する肯定応答情報５３１により継続する。肯定応答情報は、例えば、局からアクセスポイントへの１つ以上の特定の送信の肯定応答ステータスを表すビットマップを含んでもよい。例えば、局１によりアクセスポイントに送信されたデータ４１３は、複数のパケットを含んでいてもよく、肯定応答情報は、多数のビットを含んでいてもよく、各ビットは、パケットのうちの１つに対応し、パケットが肯定応答されたか否かを表している。肯定応答情報はまた、以下に記述するような、追加情報を含んでもよい。
【００４５】
ブロック肯定応答メッセージ５０１はまた、局４に対する絶対装置識別子５１４と、局４に対する肯定応答情報５３４とを含む。絶対装置識別子および肯定応答情報は、局１に関して上述したようなものであってもよいが、局４と局４により送信されたデータ４１５とをそれぞれ参照する。
【００４６】
図６は、グループ識別子と相対装置識別子とを含むブロック肯定応答メッセージを図示しているダイヤグラムである。上述したように、絶対装置識別子は、局を一意的に参照して、アクセスポイントに関係する局とアクセスポイントに関係しない局との間で、その局を区別してもよい。したがって、絶対装置識別子は、非常に長くなるかもしれない。例えば、絶対装置識別子は、ＭＡＣアドレスであってもよく、４８ビットを含んでいてもよい。対照的に、特定のグループ内の局のみから局を区別するように意図されている、その局に割り振られた相対装置識別子は、ｃｅｉｌｉｎｇ（ｌｏｇ2（Ｎ））ビットと同じくらい少ないビットを含んでもよく、ここで、Ｎは、特定のグループ内の局の数であり、ｃｅｉｌｉｎｇ（ｘ）は、ｘより少なくない最小の整数である。
【００４７】
ブロック肯定応答メッセージ６０１は、局１および局４を含む、複数の局に関係するグループ識別子６０５により開始する。グロープ識別子６０５は、１つの態様では、アソシエーションの間にアクセスポイントにより複数の局に割り当てられてもよい。１つの態様では、グループ識別子６０５は、媒体アクセス制御（ＭＡＣ）アドレスである。
【００４８】
ブロック肯定応答メッセージ６０１は、局１に関係する相対装置識別子６２１により継続する。上述したように、相対装置識別子は、グループ内の他の局から局１を区別する。ブロック肯定応答メッセージ６０１は、局１に対する肯定応答情報６３１を送信することにより、さらに継続する。肯定応答情報は、図５に関して上述したようなものであってもよい。
【００４９】
ブロック肯定応答メッセージ６０１はまた、局４に対する相対装置識別子６２４と、局４に対する肯定応答情報６３４とを含む。絶対装置識別子および肯定応答情報は、局１に関して上述したようなものであってもよいが、局４と局４により送信されたデータ４１５とをそれぞれ参照する。
【００５０】
ブロック肯定応答メッセージ６０１は、図５のブロック肯定応答メッセージ５０１中の絶対装置識別子ではなく、グループ識別子６０５と相対装置識別子６２１および６２４とを含むことから、より少ないビットが送信されてもよい。例えば、各絶対装置識別子が４８ビットＭＡＣアドレスであると仮定すると、図５のブロック肯定応答メッセージ５０１で絶対装置識別子５１１および５１４を送信するために９６ビットを必要とするだろう。各相対装置識別子は、ｃｅｉｌｉｎｇ（ｌｏｇ２（Ｎ））ビットと同じくらい少ないビットを含んでいてもよい。アクセスポイントに関係するグループ中に４つの局があると仮定すると、各相対装置識別子は２ビットのみであってもよい。したがって、グループ識別子が４８ビットＭＡＣアドレスであると仮定すると、グループ識別子６０５と相対装置識別子６２１および６２４とは、５２ビットと同じくらい少ないビットを必要としてもよい。
【００５１】
図７は、グループ識別子を含み、装置識別子を含まないブロック肯定応答メッセージを図示しているダイヤグラムである。ブロック肯定応答メッセージ７０１は、グループ識別子７０５により開始する。グループ識別子７０５は、図６に関して上述したようなものであってもよい。ブロック肯定応答メッセージ７０１は、局１に対する肯定応答情報７３１、局２に対する肯定応答情報７３２、局３に対する肯定応答情報７３３、および局４に対する肯定応答情報７３４により継続する。ブロック肯定応答メッセージは、装置識別子を含んでいないが、局１および局４は、肯定応答情報の順序付けまたは配列のおかげで、各局が送信したデータをいずれの肯定応答情報が参照するかを決定することが可能である。したがって、局１は、局１が送信したデータ４１３を第１の肯定応答情報が参照することを仮定し、局４は、局４が送信したデータ４１５を第４の肯定応答情報が参照することを仮定する。
【００５２】
局２または局３から送信されたデータが欠落している場合、局２に対する肯定応答情報７３２、および、局３に対する肯定応答情報７３３は、ダミー肯定応答情報であってもよい。ダミー肯定応答情報は、すべて０であってもよい。別の態様では、これらのビットを、チャネル推定、または、他のサイドチャネル通信のような、他の目的のために使用する。他の局に対するダミー肯定応答情報は、含まれていてもよく、または、含まれていなくてもよい。例えば、第５の局に対するダミー肯定応答情報は、局１および局４が、それが送信したデータをいずれの肯定応答情報が参照するかを決定するのに必要ではない。しかしながら、第５の局に対するダミー肯定応答情報は、チャネル推定、または、他のサイドチャネル通信のために含まれていてもよい。
【００５３】
ブロック肯定応答メッセージ７０１は、装置識別子を含まないことから、これは、送信するために、図６のブロック肯定応答メッセージ６０１より少ないビットを必要してもよい。例えば、各グループ識別子６０５および７０５は、４８ビットＭＡＣアドレスであることと、各相対装置識別子６１２および６２４は、２ビットであることと、各肯定応答情報６３１、６３４、７３１、７３２、７３３、および７４４は、１ビットであることとを仮定すると、図６のブロック肯定応答メッセージ６０１を送信するのに、５４ビットを必要とし、図７のブロック肯定応答メッセージ７０１を送信するのに、５２ビットのみを必要とするだろう。
【００５４】
しかしながら、各肯定応答情報６３１、６３４、７３１、７３２、７３３、および７４４は、４ビットであると仮定する場合に、図６のブロック肯定応答メッセージ６０１を送信するのに、６０ビットを使い、図７のブロック肯定応答メッセージ７０１を送信するのに、６４ビットを使うだろう。したがって、１つの態様では、アクセスポイントは、図６のフォーマットを使用して、ブロック肯定応答メッセージの長さを決定し、図７のフォーマットを使用して、ブロック肯定応答メッセージの長さを決定し、より少ないビットを含むブロック肯定応答メッセージを送信する。ブロック肯定応答メッセージは、いずれのフォーマットが使用されているかを示すフィールドを含んでいてもよい。
【００５５】
図８Ａは、１つの態様にしたがった、ブロック肯定応答（ＢＡ）フレームの、コンテンツおよび構造を図示しているダイヤグラムである。態様は、ＩＥＥＥ８０２．１１標準規格に関して記述されている一方、さまざまな態様が、他の通信プロトコルの詳細にしたがって実現されてもよいことを正しく認識するだろう。図８Ａは、ブロック肯定応答（ＢＡ）フレーム８０１を図示している。ＢＡフレーム８０１は、受信機アドレス８０３と送信機アドレス８０４とを含む。１つの態様では、受信機アドレスフィールド８０３は、媒体アクセス制御（ＭＡＣ）アドレスを含んでもよい。１つの態様では、送信機アドレスフィールド８０４は、媒体アクセス制御（ＭＡＣ）アドレスを含んでもよい。例えば、単一の局がブロック肯定応答を受信しようとした場合に、受信機アドレスフィールド８０３は、単一の局のＭＡＣアドレス、または、別の絶対装置識別子を含んでいてもよい。しかしながら、単一の肯定応答を複数の局にマルチキャストするために、ＢＡフレームを使用してもよい。したがって、別の態様では、受信機アドレスフィールド８０３は、単一の局に対する識別子ではなく、グループ識別子を含んでもよい。別の態様では、送信機アドレスフィールド８０４は、単一の局に対する識別子ではなく、グループ識別子を含んでいてもよい。グループ識別子の獲得および使用は、以下でより詳細に記述されている。ＢＡフレーム８０１はまた、以下でさらに記述する、ブロック肯定応答制御フィールド８０５とブロック肯定応答情報フィールド８０７とを含む。
【００５６】
図８Ｂは、ブロック肯定応答（ＢＡ）制御フィールド８０５の、コンテンツおよび構造を図示しているダイヤグラムである。他の情報に加えて、ＢＡ制御フィールド８０５は、マルチトラフィック識別子（マルチＴＩＤ）フィールド８１７を含んでいる。単一の局からのトラフィックに肯定応答するためにＢＡフレーム８０１を使用しているときに、複数のトラフィックエレメントが局により使用されていることを示すために、マルチＴＩＤフィールド８１７を使用してもよい。例えば、局は、ビデオ情報とともに、ｅメール情報を送信することに携わっていてもよい。これらの異なるトラフィックエレメント、またはフローは、異なる品質のサービス要件を有していてもよく、そうでなければ、異なって扱われてもよい。マルチＴＩＤフィールド８１７は、複数のそのようなトラフィックエレメントが存在することを示すために使用してもよい。しかしながら、以下に記述するように、マルチＴＩＤフィールドを、単に複数のトラフィックエレメントではなく、複数の局に対する肯定応答がＢＡフレーム８０１中に存在することを示すためにも使用してもよい。特に、マルチＴＩＤフィールドは、ブロック肯定応答中に肯定応答情報が含まれている装置の数に基づいていてもよい。ＢＡ制御フィールド８０５はまた、予約フィールド８１９を含んでいてもよい。予約フィールド８１９は、複数の予約ビットを含んでもよい。別の態様では、予約フィールド８１９中の予約ビットのうちの１つ以上を使用して、複数の局に対して、肯定応答情報がＢＡフレーム８０１中に存在することを示してもよい。
【００５７】
図８Ｃは、ブロック肯定応答（ＢＡ）情報フィールド８０７の、コンテンツおよび構造を図示しているダイヤグラムである。１つの態様では、ＢＡフレーム８０１は、ＢＡ情報フィールドの複数のインスタンスを含んでもよい。例えば、単一の局から生じた複数のトラフィックエレメントに肯定応答するためにＢＡフレーム８０１を使用している場合に、局により利用されている各トラフィックエレメントに対して、ＢＡ情報フィールド８０７を反復してもよい。ＢＡ情報フィールド８０７の各インスタンスは、フィールド中の肯定応答情報が関係するトラフィックエレメントを識別するための情報を含んでいてもよい。例えば、ＢＡ情報フィールド８０７は、通過識別子ごとの情報（ＴＩＤごとの情報）フィールド８３７を含んでもよい。ＴＩＤごとの情報フィールド８３７を使用して、局により使用されているさまざまなトラフィックエレメント間で識別してもよい。さらに、以下に記述するように、複数の局に対する肯定応答情報が、単一のＢＡフレーム８０１中に集約されるとき、異なる局に対する肯定応答情報間で識別するためにも、ＴＩＤごとの情報フィールド８３７を使用してもよい。ＢＡ情報フィールド８３７はまた、特定のトラフィックエレメントに関連する肯定応答情報の表示を含んでいてもよい。例えば、ＢＡ情報フィールド８３７は、局からアクセスポイントへの１つ以上の特定の送信の肯定応答ステータスを表しているビットマップ８４１を含んでいてもよい。この肯定応答ステータスは、ここでは、肯定応答情報のことを指してもよい。特定のＢＡ情報フィールド８３７中の肯定応答情報は、肯定応答情報の一部として参照されてもよい。肯定応答情報という用語は、複数の肯定応答情報部分を参照していてもよい。
【００５８】
図８Ｄは、トラフィック識別子ごとの情報（ＴＩＤごとの情報）フィールド８３７の、コンテンツおよび構造を図示しているダイヤグラムである。ＴＩＤごとの情報フィールド８３７は、予約フィールド８４７と、トラフィック識別子（ＴＩＤ）値フィールド８４９とを含む。単一の局からの送信に肯定応答するために、ＢＡフレーム８０１を使用しているとき、局の特定のトラフィックエレメントに対する肯定応答情報を識別するために、ＴＩＤ値フィールド８４９を使用する。しかしながら、１つの態様では、複数の局からの送信に肯定応答するために、ＢＡフレーム８０１を使用しているとき、肯定応答情報の対応する部分が関係する特定の局を示すために、予約フィールド８４７を使用してもよい。特に、予約フィールド８４７中の予約ビットのうちの１つ以上は、特定の局を識別するように設定されていてもよい。したがって、特定の局と、その局に対するトラフィックエレメントとを指定するために、ＴＩＤごとの情報フィールド８３７を使用してもよい。
【００５９】
図９は、別の態様にしたがった、ブロック肯定応答情報フィールドの、コンテンツおよび構造を図示しているダイヤグラムである。いくつかの点では、ＢＡ情報フィールド９３７は、図８のＢＡ情報フィールド８０７に類似している。例えば、ＢＡ情報フィールドは、図８のＴＩＤごとの情報フィールド８３７のものに類似する、ＴＩＤごとの情報フィールド９３７を含む。しかしながら、ＢＡ情報フィールド９３７は、局識別子（ＳＴＡ ＩＤ）フィールド９３９を含む。ＳＴＡ ＩＤフィールドはまた、装置識別子フィールドのことを指してもよい。特定の肯定応答情報部分が関係する局を識別するのに専用のフィールドとして、ＳＴＡ ＩＤフィールド９３９を使用してもよい。したがって、ＴＩＤごとの情報フィールド８３７の予約ビット中で局識別子をエンコードするのではなく、ＳＴＡ ＩＤフィールド９３９中で、局識別子をエンコードしてもよい。１つの態様では、ＳＴＡ ＩＤフィールドは、ＭＡＣアドレスまたは他の絶対装置識別子を収容するために、サイズにおいて、６オクテットである。別の態様では、ＳＴＡ ＩＤフィールドは、特定の局に対する相対装置識別子を収容するために、２オクテットを含んでいる。他の態様では、ＳＴＡ ＩＤフィールドは、他の識別子を収容するために、他の長さのビットを含んでいてもよい。上述したように、ＢＡフレームにおける装置識別子の使用により、複数の局に対する肯定応答情報の単一のＢＡフレーム中での効率的な集約が可能になる。
【００６０】
図１０は、マルチキャストブロック肯定応答を使用して、送信に肯定応答する方法のフローチャートである。１つ態様では、方法１０００は、図１のアクセスポイント１１０に類似するアクセスポイント上で実現してもよい。
【００６１】
方法１０００は、複数の装置のうちの１つ以上からの１つ以上の送信の受信により、ブロック１０１０において開始する。受信は、例えば、図１のアクセスポイント１１０、または、図２のトランシーバ２１０ａおよび２１０ｎにより実行することができる。上記で留意したように、局のそれぞれからの送信は、複数のトラフィックエレメントを含んでいてもよく、各トラフィックエレメントは、それ自体のトラフィック識別子を有していてもよい。
【００６２】
方法１０００は、受信した１つ以上の送信に基づいて、少なくとも複数の装置に関係するグループ識別子と、肯定応答情報とを少なくとも含む肯定応答メッセージの発生により、ブロック１０２０に継続する。発生は、例えば、図１のアクセスポイント１１０、または、図３の処理システム３００により実行することができる。異なる態様では、肯定応答メッセージは、集約された肯定応答情報の解釈を促進するために、異なる方法で修正されてもよい。１つの態様では、肯定応答メッセージ中の受信機アドレスフィールドは、グループ識別子に設定されてもよい。これは、肯定応答メッセージが１つより多い局に対する肯定応答情報を含むことを意味するものとして、受信局により解釈されてもよい。別の態様では、肯定応答メッセージは、１に設定されている、ＢＡ制御フィールド中のマルチＴＩＤビットを含んでもよい。これは、肯定応答メッセージが１つより多い局に対する肯定応答情報を含むことを示すものとして、受信局により解釈されてもよい。別の態様では、マルチＴＩＤビットフィールド中の０の値を使用して、集約された肯定応答情報の存在を示すことができる。別の態様では、ＢＡ制御フィールドの予約フィールド中の１以上のビットは、肯定応答メッセージが、複数の局に対する肯定応答情報を含むことを示すために、予め定められているパターンに設定されてもよい。例えば、予約フィールドの最後のビットを、集約された肯定応答情報の存在を示すために、１に設定してもよい。他の態様では、他のパターンを使用してもよい。
【００６３】
グループ識別子は、図６および図７に関して上述したようなものであってもよい。１つの態様では、グループ識別子は、ＭＡＣアドレスとして表されている。グループ識別子は、静的な識別子であってもよく、あるいは、グループ識別子は、周期的に、または、ネットワークに加わる局や、ネットワーク中の通信条件のような他の刺激に応答して、発生され、または、そうでなければ決定されてもよい。１つの態様では、グループ識別子は、局およびアクセスポイントの製造者によって、時間的に前もって同意されていてもよい。別の態様では、グループ識別子は、アクセスポイントにより取得されてもよく、アソシエーションの間に局に分配されてもよい。別の態様では、グループ識別子は、上述したＴｘＳメッセージのような他のメッセージを使用して、局に伝達され得る。上述したように、集約ブロック肯定応答フレームが使用されていることを認識するために、グループ識別子を個々の局により使用してもよい。
【００６４】
１つの態様では、肯定応答メッセージは装置識別子を含む。１つの態様では、装置識別子は、絶対装置識別子であってもよい。例えば、装置識別子は、媒体アクセス制御（ＭＡＣ）アドレスであってもよい。別の態様では、装置識別子は、相対装置識別子であってもよい。相対装置識別子は、アソシエーションの間に、発生および割り当てられる。別の態様では、相対装置識別子は、局により、局の順序付けされたリストから暗黙的に導出されてもよい。例えば、４つの局がネットワークに参加している場合に、４つの局は、それぞれ、０ｘ００、０ｘ０１、０ｘ１０、および０ｘ１１として識別されるかもしれない。１つの態様では、相対装置識別子は、局が、上述したＴｘＳメッセージ中にリストされている順序に対応している。特に、１つの態様では、相対装置識別子は、送信開始メッセージ中の情報の配列に基づいて決定される。別の態様では、相対装置識別子は、ＴｘＳメッセージ中に明示的にリストされていてもよい。１つの態様では、相対装置識別子は一時的なものであり、時間期間の後に、あるいは、多数のサイクルまたは使用の後に、置換される。したがって、１つの態様では、装置識別子は、一時的な識別子である。図６に関して上述したように、相対装置識別子は、ブロック肯定応答メッセージのいずれの部分が、関係する肯定応答情報を含んでいるかを識別するために、それぞれの局により使用されてもよい。別の態様では、図７に関して上述したように、局は、肯定応答情報の順序から、ブロック肯定応答メッセージのいずれの部分が、関係する肯定応答情報を含んでいるかを識別してもよい。特に、局は、肯定応答メッセージ中の情報の配列に基づいて、関係する部分を識別してもよい。
【００６５】
方法は、肯定応答メッセージの送信により、ブロック１０３０に継続する。送信は、例えば、図１のアクセスポイント１１０により、または、図２のトランシーバ２１０ａおよび２１０ｎにより実行することができる。送信は、図１１に関して以下で記述するように、１つ以上の局により、受信されて解釈されてもよい。
【００６６】
図１１は、集約された肯定応答情報を受信および解釈する方法を図示しているフローチャートである。１つの態様では、方法１１００は、図１の局１２０のような１つ以上の局で実現してもよい。
【００６７】
方法１１００は、複数の装置のうちの１つからワイヤレスノードへのデータの送信により、ブロック１１１０において開始する。送信は、例えば、図１の局１２０により、または、図２のトランシーバ２１０ａおよび２１０ｎにより実行することができる。方法１１００は、ワイヤレスノードからの肯定応答メッセージの受信により、ブロック１１２０に継続し、肯定応答メッセージは、少なくとも複数の装置に関係するグループ識別子と肯定応答情報とを少なくとも含む。グループ識別子のタイプは、図１０に関して上述されている。受信は、例えば、図１の局１２０により、または、図２のトランシーバ２１０ａおよび２１０ｎにより実行することができる。
【００６８】
方法１１００は、グループ識別子と肯定応答情報とに少なくとも部分的に基づく、複数の装置のうちの１つに対する肯定応答情報の決定により、ブロック１１３０に継続する。決定は、上述したような、さまざまな識別子、パターン、および値に対する肯定応答をチェックすることにより行ってもよい。例えば、局は、ＢＡフレーム中の受信機アドレスがグループ識別子に設定されているか否かを決定してもよい。別の態様では、局は、ＢＡ制御フィールド中の、マルチＴＩＤビット、または、予約ビットの１つ以上が、集約された肯定応答情報の存在を示すように設定されているか否かを決定してもよい。集約された肯定応答情報が存在する場合に、局は、もしあれば、いずれの肯定応答情報部分が局に関係するかを決定するために、肯定応答情報部分を分析し進めてもよい。例えば、１つの態様では、局は、局に関係する相対装置識別子に対する肯定応答メッセージを調べてもよい。別の態様では、局は、肯定応答情報の順序を分析することにより、肯定応答情報のいずれの部分が局に関係しているかを決定してもよい。別の例として、１つの態様では、局は、１つ以上の予約ビットが、局に対する識別子に整合するか否かを決定するために、各ＢＡ情報フィールドのＴＩＤごとの情報フィールド中の予約ビットのうちの１つ以上を調べてもよい。局は、肯定応答情報を解釈し、それを使用して、アクセスポイントとの将来の通信を計画してもよい。
【００６９】
（例えば、添付した図面のうちの１つ以上に関して）ここで記述した機能性は、いくつかの態様では、付随する特許請求の範囲中の、同様に指定されている“するための手段”機能性に対応していてもよい。例えば、図１２は、受信する回路１２１０と、発生させる回路１２２０と、送信する回路１２３０とを備えるワイヤレスノード１２００の態様を図示している。
【００７０】
受信する回路１２１０は、複数の装置のうちの１つ以上から１つ以上の送信を受信するように構成されていてもよい。受信する回路１２１０は、少なくとも１本のアンテナ、トランシーバ、受信機、処理システム、またはネットワークアダプタとして、全体として、あるいは、部分的に実現されてもよい。受信する手段は、受信する回路１２１０を含んでもよい。発生させる回路１２２０は、受信した送信に基づいて、少なくとも複数の装置に関係するグループ識別子と肯定応答情報とを少なくとも含む肯定応答メッセージを発生させるように構成されていてもよい。発生させる回路１２２０は、処理システムまたはネットワークアダプタとして、全体として、あるいは、部分的に実現されてもよい。発生させる手段は、発生させる回路１２２０を含んでもよい。送信する回路１２３０は、複数の装置に肯定応答メッセージを送信するように構成されていてもよい。送信する回路１２３０は、少なくとも１本のアンテナ、トランシーバ、送信機、処理システム、またはネットワークアダプタとして、全体として、または、部分的に実現されてもよい。送信する手段は、送信する回路１２３０を含んでもよい。ワイヤレスノード１２００は、ここに記述した機能性を実現するように構成されていてもよく、ハードウェアまたはソフトウェアで、あるいは、図２および図３に関して上述したような、これらのいくつかの組み合わせで、実現してもよい。特に、ワイヤレスノード１２００は、図１０および図１１に関して上述した機能性を実行するように構成されていてもよい。
【００７１】
図１３は、送信する回路１３１０と、受信する回路１３２０と、決定する回路１３３０とを備える、ワイヤレスノード１３００の別の態様を図示している。送信する回路１３１０は、複数の装置のうちの１つからワイヤレスノードにデータを送信するように構成されていてもよい。送信する回路１３１０は、少なくとも１本のアンテナ、トランシーバ、送信機、処理システム、またはネットワークアダプタとして、全体として、あるいは、部分的に実現されてもよい。送信する手段は、送信する回路１３１０を含んでもよい。受信する回路１３２０は、ワイヤレスノードから肯定応答メッセージを受信するように構成されていてもよく、肯定応答メッセージは、少なくとも複数の装置に関係するグループ識別子と肯定応答情報とを少なくとも含む。受信する回路１３２０は、少なくとも１本のアンテナ、トランシーバ、受信機、処理システム、または、ネットワークとして、全体として、あるいは、部分的に実現されてもよい。受信する手段は、受信する回路１３２０を含んでもよい。決定する回路１３３０は、グループ識別子と肯定応答情報とに少なくとも部分的に基づいて、複数の装置のうちの１つに対する肯定応答情報を決定するように構成されていてもよい。決定する回路１３３０は、処理システム、または、ネットワークアダプタとして、全体として、または、部分的に実現されてもよい。決定する手段は、決定する回路１３３０を含んでもよい。
【００７２】
ここで使用したように、“決定する”という用語は、幅広いさまざまな動作を含んでいる。例えば、“決定する”は、算出する、計算する、処理する、導出する、調べる、検索する（例えば、表、データベース、または、別のデータ構造中において検索する）、確認する、および、これらに類するものを含むことができる。同様に、“決定する”は、受信する（例えば、情報を受信する）、アクセスする（例えば、メモリ中のデータにアクセスする）、および、これらに類するものを含むことができる。さらに、“決定する”は、解決する、選択する、選ぶ、確立する、および、これらに類するものを含むことができる。
【００７３】
図１２および図１３に関して記述した回路の機能性は、ここでの教示に一致するさまざまな方法で実現することができる。いくつかの態様では、これらのモジュールの機能性は、１つ以上の電気コンポーネントとして実現することができる。いくつかの態様では、これらのブロックの機能性は、１つ以上のプロセッサコンポーネントを含む処理システムとして実現することができる。いくつかの態様では、これらのモジュールの機能性は、例えば、１つ以上の集積回路（例えば、ＡＳＩＣ）の少なくとも一部分を使用して実現することができる。ここで記述したように、集積回路は、プロセッサ、ソフトウェア、他の関連するコンポーネント、またはこれらのいくつかの組み合わせを含んでもよい。これらのモジュールの機能性もまた、ここで教示するような他のいくつかの方法で実現することができる。
【００７４】
処理システム中の１つ以上のプロセッサは、ソフトウェアを実行できる。ソフトウェアは、ソフトウェア、ファームウェア、ミドルウェア、マイクロコード、ハードウェア記述言語、またはその他のものとして言及されるか否かに関わらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行のスレッド、手順、関数等を意味するように広く解釈されるものである。
【００７５】
１つ以上の例示的な態様では、記述した機能は、ハードウェアで、ソフトウェアで、ファームウェアで、または、これらの任意の組み合わせで実現することができる。ソフトウェアで実現された場合、機能は、１つ以上の命令またはコードとして、コンピュータ読み取り可能媒体上に記憶させることができ、あるいは、コンピュータ読み取り可能媒体を通して送信することができる。コンピュータ読み取り可能媒体は、１つの場所から別の場所へのコンピュータプログラムの転送を促進する何らかの媒体を含む、コンピュータ記憶媒体および通信媒体の双方を含む。記憶媒体は、コンピュータによりアクセスできる何らかの利用可能な媒体であってもよい。例として、これらに限定されないが、このようなコンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置もしくは他の磁気記憶デバイス、あるいは、コンピュータによりアクセスでき、命令またはデータ構造の形態で所望のプログラムコードを伝送または記憶するために使用できる他の何らかの媒体を含むことができる。また、任意の接続は、適切にコンピュータ読み取り可能媒体と呼ばれる。例えば、ソフトウェアが、同軸ケーブルや、光ファイバケーブルや、ツイストペア線や、デジタル加入者線（ＤＳＬ）や、または赤外線、無線、およびマイクロ波のようなワイヤレス技術を使用して、ウェブサイト、サーバ、または他の遠隔ソースから送信された場合、同軸ケーブルや、光ファイバケーブルや、ツイストペア線や、ＤＳＬや、または赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル汎用ディスク（ＤＶＤ）、フロッピー（登録商標）ディスク、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。したがって、いくつかの態様では、コンピュータ読み取り可能媒体は、一時的ではないコンピュータ読み取り可能媒体（例えば、有形媒体）を含んでもよい。さらに、いくつかの態様では、コンピュータ読み取り可能媒体は、一時的なコンピュータ読み取り可能媒体（例えば、信号）を含んでもよい。上記のものの組み合わせも、コンピュータ読み取り可能媒体の範囲内に含めるべきである。
【００７６】
処理システム、または、処理システムの任意の部分は、ここで記載した機能を実現する手段を提供することができる。代替的に、コンピュータ読み取り可能媒体上のコード、または、コンピュータ読み取り可能媒体自体は、ここで記載した機能を実現する手段を提供することができる。
【００７７】
特定のアプリケーションと、システム全体に課せられる設計の制約全体とに依存して、本開示全体を通して提示し、記述した機能性を、どのように実現することが最良であるかを、当業者は認識するだろう。
【００７８】
方法またはソフトウェアモジュールの文脈において記述したステップの、任意の特有な順序または階層は、ワイヤレスノードの例を提供するために提示していることを理解すべきである。設計選択に基づいて、ステップの特有な順序または階層は、本発明の範囲内である限り、再構成してもよいことを理解すべきである。
【００７９】
先の説明は、任意の当業者が、本開示の全範囲を完全に理解できるように提供している。ここで開示したさまざまな構成に対する修正は、当業者に容易に明らかになるだろう。したがって、特許請求の範囲は、ここで記述した開示のさまざまな態様に限定することを意図するものではなく、特許請求の範囲の文言と矛盾しない全範囲に一致させるべきである。エレメントへの単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、“いくつか”という用語は、１つ以上のことを指している。エレメントの組み合わせの少なくとも１つ（例えば、“Ａ、Ｂ、またはＣのうちの少なくとも１つ”）を規定する請求項は、規定したエレメントのうちの１つ以上（例えば、Ａ、またはＢ、またはＣ、またはこれらの任意の組み合わせ）のことを指す。当業者に知られ、または後に知られることになる、本開示全体を通して記述しているさまざまな態様のエレメントに対するすべての構造的および機能的な均等物は、参照によりここに明確に組み込まれ、特許請求の範囲により含まれることを意図している。さらに、ここで開示したものは、このような開示が特許請求の範囲中に明示的に記載されているか否かにかかわらず、公共に捧げられることを意図していない。どの請求項のエレメントも、エレメントが“する手段”というフレーズを使用して明確に記載されていない限り、または、方法の請求項のケースでは、エレメントが“するステップ”というフレーズを使用して記載されていない限り、合衆国法典第３５部第１１２条第６パラグラフの条文の下で解釈すべきではない。
【図１】
2013513346.tif 000003
【図２】
2013513346.tif 000004
【図３】
2013513346.tif 000005
【図４】
2013513346.tif 000006
【図５】
2013513346.tif 000007
【図６】
2013513346.tif 000008
【図７】
2013513346.tif 000009
【図８Ａ】
2013513346.tif 000010
【図８Ｂ】
2013513346.tif 000011
【図８Ｃ】
2013513346.tif 000012
【図８Ｄ】
2013513346.tif 000013
【図９】
2013513346.tif 000014
【図１０】
2013513346.tif 000015
【図１１】
2013513346.tif 000016
【図１２】
2013513346.tif 000017
【図１３】
2013513346.tif 000018
【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
通信の方法において、
複数の装置のうちの１つ以上から１つ以上の送信を受信することと、
前記受信した１つ以上の送信に基づいて、少なくとも前記複数の装置に関係するグループ識別子と肯定応答情報とを少なくとも含む肯定応答メッセージを発生させることと、
前記複数の装置に前記肯定応答メッセージを送信することとを含み、
前記肯定応答メッセージは、前記複数の装置のうちの１つ以上に対応する１つ以上の装置識別子をさらに含む方法。
【請求項２】
前記装置識別子は、相対装置識別子である請求項１記載の方法。
【請求項３】
前記装置識別子は、一時的な識別子である請求項１記載の方法。
【請求項４】
前記グループ識別子は、媒体アクセス制御アドレスを含む請求項１記載の方法。
【請求項５】
アソシエーションの間に、前記グループ識別子を送信することをさらに含む請求項１記載の方法。
【請求項６】
前記複数の装置のうちの１つ以上に、送信開始メッセージを送信することをさらに含む請求項１記載の方法。
【請求項７】
前記送信開始メッセージは、前記グループ識別子を含む請求項６記載の方法。
【請求項８】
前記肯定応答メッセージは、前記受信した１つ以上の送信の、１つ以上のトラフィックエレメントにそれぞれ関係する１つ以上のトラフィック識別子をさらに含む請求項１記載の方法。
【請求項９】
前記肯定応答メッセージは、ブロック肯定応答を含む請求項１記載の方法。
【請求項１０】
前記ブロック肯定応答は、受信機アドレスフィールドを含み、前記受信機アドレスフィールドは、前記グループ識別子を含む請求項９記載の方法。
【請求項１１】
前記ブロック肯定応答は、送信機アドレスフィールドを含み、前記送信機アドレスフィールドは、前記グループ識別子を含む請求項９記載の方法。
【請求項１２】
前記ブロック肯定応答は、マルチトラフィック識別子フィールドを含み、前記方法は、前記ブロック肯定応答中に肯定応答情報が含まれている装置の数に少なくとも部分的に基づいて、前記マルチトラフィック識別子フィールドの値を決定することをさらに含む請求項９記載の方法。
【請求項１３】
前記ブロック肯定応答は、ブロック肯定応答制御フィールドを含み、前記ブロック肯定応答制御フィールドは、複数の予約ビットを含み、前記方法は、前記ブロック肯定応答中に肯定応答情報が含まれている装置の数に少なくとも部分的に基づいて、前記複数の予約ビットのうちの１つ以上のそれぞれの値を決定することをさらに含む請求項９記載の方法。
【請求項１４】
前記ブロック肯定応答は、１つ以上の、トラフィック識別子ごとの情報フィールドを含み、各トラフィック識別子ごとの情報フィールドは、複数の予約ビットを含み、前記複数の予約ビットのうちの１つ以上は、前記複数の装置のうちの１つ以上のうちの１つに対する前記装置識別子を含む請求項９記載の方法。
【請求項１５】
前記ブロック肯定応答は、１つ以上のブロック肯定応答情報フィールドを含み、各ブロック肯定応答情報フィールドは、装置識別子フィールドを含み、前記装置識別子フィールドは、前記複数の装置のうちの１つ以上のうちの１つに対する前記装置識別子を含む請求項９記載の方法。
【請求項１６】
通信のための装置において、
複数の装置のうちの１つ以上から１つ以上の送信を受信するように構成されている受信機と、
前記受信した１つ以上の送信に基づいて、少なくとも前記複数の装置に関係するグループ識別子と肯定応答情報とを少なくとも含む肯定応答メッセージを発生させるように構成されている処理システムと、
前記複数の装置に前記肯定応答メッセージを送信するように構成されている送信機とを具備し、
前記肯定応答メッセージは、前記複数の装置のうちの１つ以上に対応する１つ以上の装置識別子をさらに含む装置。
【請求項１７】
前記装置識別子は、相対装置識別子である請求項１６記載の装置。
【請求項１８】
前記装置識別子は、一時的な識別子である請求項１６記載の装置。
【請求項１９】
前記グループ識別子は、媒体アクセス制御アドレスを含む請求項１６記載の装置。
【請求項２０】
前記送信機は、アソシエーションの間に、前記グループ識別子を送信するようにさらに構成されている請求項１６記載の装置。
【請求項２１】
前記送信機は、前記複数の装置のうちの１つ以上に、送信開始メッセージを送信するようにさらに構成されている請求項１６記載の装置。
【請求項２２】
前記送信開始メッセージは、前記グループ識別子を含む請求項２１記載の装置。
【請求項２３】
前記肯定応答メッセージは、前記受信した１つ以上の送信の、１つ以上のトラフィックエレメントにそれぞれ関係する１つ以上のトラフィック識別子をさらに含む請求項１６記載の装置。
【請求項２４】
前記肯定応答メッセージは、ブロック肯定応答を含む請求項１７記載の装置。
【請求項２５】
前記ブロック肯定応答は、受信機アドレスフィールドを含み、前記受信機アドレスフィールドは、前記グループ識別子を含む請求項２４記載の装置。
【請求項２６】
前記ブロック肯定応答は、送信機アドレスフィールドを含み、前記送信機アドレスフィールドは、前記グループ識別子を含む請求項２４記載の装置。
【請求項２７】
前記ブロック肯定応答は、マルチトラフィック識別子フィールドを含み、前記処理システムは、前記ブロック肯定応答中に肯定応答情報が含まれている装置の数に少なくとも部分的に基づいて、前記マルチトラフィック識別子フィールドの値を決定するようにさらに構成されている請求項２４記載の装置。
【請求項２８】
前記ブロック肯定応答は、ブロック肯定応答制御フィールドを含み、前記ブロック肯定応答制御フィールドは、複数の予約ビットを含み、前記処理システムは、前記ブロック肯定応答中に肯定応答情報が含まれている装置の数に少なくとも部分的に基づいて、前記複数の予約ビットのうちの１つ以上のそれぞれの値を決定するようにさらに構成されている請求項２４記載の装置。
【請求項２９】
前記ブロック肯定応答は、１つ以上の、トラフィック識別子ごとの情報フィールドを含み、各トラフィック識別子ごとの情報フィールドは、複数の予約ビットを含み、前記複数の予約ビットのうちの１つ以上は、前記複数の装置のうちの１つ以上のうちの１つに対する前記装置識別子を含む請求項２４記載の装置。
【請求項３０】
前記ブロック肯定応答は、１つ以上のブロック肯定応答情報フィールドを含み、各ブロック肯定応答情報フィールドは、装置識別子フィールドを含み、前記装置識別子フィールドは、前記複数の装置のうちの１つ以上のうちの１つに対する前記装置識別子を含む請求項２４記載の装置。
【請求項３１】
通信のための装置において、
複数の装置のうちの１つ以上から１つ以上の送信を受信する手段と、
前記受信した１つ以上の送信に基づいて、少なくとも前記複数の装置に関係するグループ識別子と肯定応答情報とを少なくとも含む肯定応答メッセージを発生させる手段と、
前記複数の装置に前記肯定応答メッセージを送信する手段とを具備し、
前記肯定応答メッセージは、前記複数の装置のうちの１つ以上に対応する１つ以上の装置識別子をさらに含む装置。
【請求項３２】
前記装置識別子は、相対装置識別子である請求項３１記載の装置。
【請求項３３】
前記装置識別子は、一時的な識別子である請求項３１記載の装置。
【請求項３４】
前記グループ識別子は、媒体アクセス制御アドレスを含む請求項３１記載の装置。
【請求項３５】
前記送信する手段は、アソシエーションの間に、前記グループ識別子を送信するようにさらに構成されている請求項３１記載の装置。
【請求項３６】
前記送信する手段は、前記複数の装置のうちの１つ以上に、送信開始メッセージを送信するようにさらに構成されている請求項３１記載の装置。
【請求項３７】
前記送信開始メッセージは、前記グループ識別子を含む請求項３６記載の装置。
【請求項３８】
前記肯定応答メッセージは、前記受信した１つ以上の送信の、１つ以上のトラフィックエレメントにそれぞれ関係する１つ以上のトラフィック識別子をさらに含む請求項３１記載の装置。
【請求項３９】
前記肯定応答メッセージは、ブロック肯定応答を含む請求項３１記載の装置。
【請求項４０】
前記ブロック肯定応答は、受信機アドレスフィールドを含み、前記受信機アドレスフィールドは、前記グループ識別子を含む請求項３９記載の装置。
【請求項４１】
前記ブロック肯定応答は、送信機アドレスフィールドを含み、前記送信機アドレスフィールドは、前記グループ識別子を含む請求項３９記載の装置。
【請求項４２】
前記ブロック肯定応答は、マルチトラフィック識別子フィールドを含み、前記装置は、前記ブロック肯定応答中に肯定応答情報が含まれている装置の数に少なくとも部分的に基づいて、前記マルチトラフィック識別子フィールドの値を決定する手段をさらに具備する請求項３９記載の装置。
【請求項４３】
前記ブロック肯定応答は、ブロック肯定応答制御フィールドを含み、前記ブロック肯定応答制御フィールドは、複数の予約ビットを含み、前記装置は、前記ブロック肯定応答中に肯定応答情報が含まれている装置の数に少なくとも部分的に基づいて、前記複数の予約ビットのうちの１つ以上のそれぞれの値を決定する手段をさらに具備する請求項３９記載の装置。
【請求項４４】
前記ブロック肯定応答は、１つ以上の、トラフィック識別子ごとの情報フィールドを含み、各トラフィック識別子ごとの情報フィールドは、複数の予約ビットを含み、前記複数の予約ビットのうちの１つ以上は、前記複数の装置のうちの１つ以上のうちの１つに対する前記装置識別子を含む請求項３９記載の装置。
【請求項４５】
前記ブロック肯定応答は、１つ以上のブロック肯定応答情報フィールドを含み、各ブロック肯定応答情報フィールドは、装置識別子フィールドを含み、前記装置識別子フィールドは、前記複数の装置のうちの１つ以上のうちの１つに対する前記装置識別子を含む請求項３９記載の装置。
【請求項４６】
コンピュータプログラムプロダクトにおいて、
装置により実行される場合に、前記装置に方法を実行させるコンピュータ実行可能命令をその上に記憶しているコンピュータ読み取り可能媒体を含み、
前記方法は、
複数の装置のうちの１つ以上から１つ以上の送信を受信することと、
前記受信した１つ以上の送信に基づいて、少なくとも前記複数の装置に関係するグループ識別子と肯定応答情報とを少なくとも含む肯定応答メッセージを発生させることと、
前記複数の装置に前記肯定応答メッセージを送信することとを含み、
前記肯定応答メッセージは、前記複数の装置のうちの１つ以上に対応する１つ以上の装置識別子をさらに含むコンピュータプログラムプロダクト。
【請求項４７】
ワイヤレスノードにおいて、
少なくとも１本のアンテナと、
前記少なくとも１本のアンテナを介して、複数の装置のうちの１つ以上から１つ以上の送信を受信するように構成されている受信機と、
前記受信した１つ以上の送信に基づいて、少なくとも前記複数の装置に関係するグループ識別子と肯定応答情報とを少なくとも含む肯定応答メッセージを発生させるように構成されている処理システムと、
前記少なくとも１本のアンテナを介して、前記複数の装置に前記肯定応答メッセージを送信するように構成されている送信機とを具備し、
前記肯定応答メッセージは、前記複数の装置のうちの１つ以上に対応する１つ以上の装置識別子をさらに含むワイヤレスノード。
【請求項４８】
通信の方法において、
複数の装置のうちの１つからワイヤレスノードにデータを送信することと、
前記ワイヤレスノードから肯定応答メッセージを受信し、前記肯定応答メッセージは、少なくとも前記複数の装置に関係するグループ識別子と肯定応答情報とを少なくとも含むことと、
前記グループ識別子と前記肯定応答情報とに少なくとも部分的に基づいて、前記複数の装置のうちの１つに対する肯定応答情報を決定することとを含み、
前記肯定応答メッセージは、前記複数の装置のうちの１つ以上に対応する装置識別子をさらに含み、前記複数の装置のうちの１つ以上に対応する装置識別子は、前記複数の装置のうちの１つに対する前記肯定応答情報を決定するためにも使用される方法。
【請求項４９】
前記装置識別子は、相対装置識別子である請求項４８記載の方法。
【請求項５０】
前記装置識別子は、一時的な識別子である請求項４８記載の方法。
【請求項５１】
データを送信する前に、前記ワイヤレスノードから送信開始メッセージを受信することをさらに含む請求項４８記載の方法。
【請求項５２】
前記送信開始メッセージ中の情報の配列に少なくとも部分的に基づいて、前記複数の装置のうちの１つに対応する装置識別子を決定することをさらに含む請求項５１記載の方法。
【請求項５３】
前記送信開始メッセージは、前記グループ識別子を含む請求項５１記載の方法。
【請求項５４】
前記グループ識別子は、媒体アクセス制御アドレスを含む請求項４８記載の方法。
【請求項５５】
アソシエーションの間に、前記グループ識別子を受信することをさらに含む請求項４８記載の方法。
【請求項５６】
前記複数の装置のうちの１つに対する前記肯定応答情報を決定することは、前記肯定応答メッセージ中の情報の配列に少なくとも部分的に基づいている請求項４８記載の方法。
【請求項５７】
前記肯定応答メッセージは、前記送信したデータの、１つ以上のトラフィックエレメントにそれぞれ関係する１つ以上のトラフィック識別子をさらに含む請求項４８記載の方法。
【請求項５８】
前記肯定応答メッセージは、ブロック肯定応答を含む請求項４８記載の方法。
【請求項５９】
前記ブロック肯定応答は、前記受信機アドレスフィールドを含み、前記受信機アドレスフィールドは、前記グループ識別子を含む請求項５８記載の方法。
【請求項６０】
前記ブロック肯定応答は、前記送信機アドレスフィールドを含み、前記送信機アドレスフィールドは、前記グループ識別子を含む請求項５８記載の方法。
【請求項６１】
通信のための装置において、
前記装置は、グループ識別子に関係する複数の装置のうちの１つであり、
ワイヤレスノードにデータを送信するように構成されている送信機と、
前記ワイヤレスノードから肯定応答メッセージを受信するように構成されている受信機であって、前記肯定応答メッセージは、前記グループ識別子と肯定応答情報とを少なくとも含む、受信機と、
前記グループ識別子と前記肯定応答情報とに少なくとも部分的に基づいて、前記装置に対する肯定応答情報を決定するように構成されている処理システムとを具備し、
前記肯定応答メッセージは、前記装置に対応する装置識別子をさらに含み、前記装置に対応する装置識別子は、前記複数の装置のうちの１つに対する前記肯定応答情報を決定するためにも使用される装置。
【請求項６２】
前記装置識別子は、相対装置識別子である請求項６１記載の装置。
【請求項６３】
前記装置識別子は、一時的な識別子である請求項６１記載の装置。
【請求項６４】
前記受信機は、データを送信する前に、前記ワイヤレスノードから送信開始メッセージを受信するようにさらに構成されている請求項６１記載の装置。
【請求項６５】
前記処理システムは、前記送信開始メッセージ中の情報の配列に少なくとも部分的に基づいて、前記複数の装置のうちの１つに対応する装置識別子を決定するようにさらに構成されている請求項６４記載の装置。
【請求項６６】
前記送信開始メッセージは、前記グループ識別子を含む請求項６４記載の装置。
【請求項６７】
前記グループ識別子は、媒体アクセス制御アドレスを含む請求項６１記載の装置。
【請求項６８】
前記受信機は、アソシエーションの間に、前記グループ識別子を受信するようにさらに構成されている請求項６１記載の装置。
【請求項６９】
前記処理システムは、前記受信された肯定応答メッセージ中の情報の配列に少なくとも部分的に基づいて、前記装置に対する前記肯定応答情報を決定するようにさらに構成されている請求項６１記載の装置。
【請求項７０】
前記肯定応答メッセージは、前記送信したデータの、１つ以上のトラフィックエレメントにそれぞれ関係する１つ以上のトラフィック識別子をさらに含む請求項６１記載の装置。
【請求項７１】
前記肯定応答メッセージは、ブロック肯定応答を含む請求項６１記載の装置。
【請求項７２】
前記ブロック肯定応答は、前記受信機アドレスフィールドを含み、前記受信機アドレスフィールドは、前記グループ識別子を含む請求項７１記載の装置。
【請求項７３】
前記ブロック肯定応答は、前記送信機アドレスフィールドを含み、前記送信機アドレスフィールドは、前記グループ識別子を含む請求項７１記載の装置。
【請求項７４】
通信のための装置において、
前記装置は、グループ識別子に関係する複数の装置のうちの１つであり、
ワイヤレスノードにデータを送信する手段と、
前記ワイヤレスノードから肯定応答メッセージを受信する手段であって、前記肯定応答メッセージは、前記グループ識別子と肯定応答情報とを少なくとも含む、手段と、
前記グループ識別子と前記肯定応答情報とに少なくとも部分的に基づいて、前記装置に対する肯定応答情報を決定する手段とを具備し、
前記肯定応答メッセージは、前記装置に対応する装置識別子をさらに含み、前記装置に対応する装置識別子は、前記複数の装置のうちの１つに対する前記肯定応答情報を決定するためにも使用される装置。
【請求項７５】
前記装置識別子は、相対装置識別子である請求項７４記載の装置。
【請求項７６】
前記装置識別子は、一時的な識別子である請求項７４記載の装置。
【請求項７７】
前記受信する手段は、データを送信する前に、前記ワイヤレスノードから送信開始メッセージを受信するようにさらに構成されている請求項７４記載の装置。
【請求項７８】
前記決定する手段は、前記送信開始メッセージ中の情報の配列に少なくとも部分的に基づいて、前記装置に対応する装置識別子を決定するようにさらに構成されている請求項７７記載の装置。
【請求項７９】
前記送信開始メッセージは、前記グループ識別子を含む請求項７７記載の装置。
【請求項８０】
前記グループ識別子は、媒体アクセス制御アドレスを含む請求項７４記載の装置。
【請求項８１】
前記受信する手段は、アソシエーションの間に、前記グループ識別子を受信するようにさらに構成されている請求項７４記載の装置。
【請求項８２】
前記決定する手段は、前記受信された肯定応答メッセージ中の情報の配列に少なくとも部分的に基づいて、前記装置に対する前記肯定応答情報を決定するようにさらに構成されている請求項７４記載の装置。
【請求項８３】
前記肯定応答メッセージは、前記送信したデータの、１つ以上のトラフィックエレメントにそれぞれ関係する１つ以上のトラフィック識別子をさらに含む請求項７４記載の装置。
【請求項８４】
前記肯定応答メッセージは、ブロック肯定応答を含む請求項７４記載の装置。
【請求項８５】
前記ブロック肯定応答は、前記受信機アドレスフィールドを含み、前記受信機アドレスフィールドは、前記グループ識別子を含む請求項８４記載の装置。
【請求項８６】
前記ブロック肯定応答は、前記送信機アドレスフィールドを含み、前記送信機アドレスフィールドは、前記グループ識別子を含む請求項８４記載の装置。
【請求項８７】
コンピュータプログラムプロダクトにおいて、
グループ識別子に関係する複数の装置のうちの１つである装置により実行される場合に、前記装置に方法を実行させるコンピュータ実行可能命令をその上に記憶しているコンピュータ読み取り可能媒体を含み、
前記方法は、
ワイヤレスノードにデータを送信することと、
前記ワイヤレスノードから肯定応答メッセージを受信し、前記肯定応答メッセージは、前記グループ識別子と肯定応答情報とを少なくとも含むことと、
前記グループ識別子と前記肯定応答情報とに少なくとも部分的に基づいて、前記装置に対する肯定応答情報を決定することとを含み、
前記肯定応答メッセージは、前記複数の装置のうちの１つ以上に対応する装置識別子をさらに含み、前記複数の装置のうちの１つ以上に対応する装置識別子は、前記複数の装置のうちの１つに対する前記肯定応答情報を決定するためにも使用されるコンピュータプログラムプロダクト。
【請求項８８】
アクセス端末において、
少なくとも１本のアンテナと、
前記少なくとも１本のアンテナを介して、ワイヤレスノードにデータを送信するように構成されている送信機と、
前記少なくとも１本のアンテナを介して、前記ワイヤレスノードから肯定応答メッセージを受信するように構成されている受信機であって、前記肯定応答メッセージは、肯定応答情報と、前記アクセス端末と少なくとも１つの他の装置とに関係するグループ識別子とを少なくとも含む、受信機と、
前記グループ識別子と前記肯定応答情報とに少なくとも部分的に基づいて、前記アクセス端末に対する肯定応答情報を決定するように構成されている処理システムとを具備し、
前記肯定応答メッセージは、前記複数の装置のうちの１つ以上に対応する装置識別子をさらに含み、前記複数の装置のうちの１つ以上に対応する装置識別子は、前記複数の装置のうちの１つに対する前記肯定応答情報を決定するためにも使用されるアクセス端末。
【手続補正２】
【補正対象書類名】明細書
【補正対象項目名】００７９
【補正方法】変更
【補正の内容】
【００７９】
先の説明は、任意の当業者が、本開示の全範囲を完全に理解できるように提供している。ここで開示したさまざまな構成に対する修正は、当業者に容易に明らかになるだろう。したがって、特許請求の範囲は、ここで記述した開示のさまざまな態様に限定することを意図するものではなく、特許請求の範囲の文言と矛盾しない全範囲に一致させるべきである。エレメントへの単数での言及は、“１つおよび１つのみ”と特に述べられていない限り、“１つおよび１つのみ”を意味することを意図しているのではなく、むしろ“１つ以上の”を意味することを意図している。そうでないことが特に述べられていない限り、“いくつか”という用語は、１つ以上のことを指している。エレメントの組み合わせの少なくとも１つ（例えば、“Ａ、Ｂ、またはＣのうちの少なくとも１つ”）を規定する請求項は、規定したエレメントのうちの１つ以上（例えば、Ａ、またはＢ、またはＣ、またはこれらの任意の組み合わせ）のことを指す。当業者に知られ、または後に知られることになる、本開示全体を通して記述しているさまざまな態様のエレメントに対するすべての構造的および機能的な均等物は、参照によりここに明確に組み込まれ、特許請求の範囲により含まれることを意図している。さらに、ここで開示したものは、このような開示が特許請求の範囲中に明示的に記載されているか否かにかかわらず、公共に捧げられることを意図していない。どの請求項のエレメントも、エレメントが“する手段”というフレーズを使用して明確に記載されていない限り、または、方法の請求項のケースでは、エレメントが“するステップ”というフレーズを使用して記載されていない限り、合衆国法典第３５部第１１２条第６パラグラフの条文の下で解釈すべきではない。
以下に、本願出願時の特許請求の範囲に記載された発明を付記する。
［１］通信の方法において、
複数の装置のうちの１つ以上から１つ以上の送信を受信することと、
前記受信した１つ以上の送信に基づいて、少なくとも前記複数の装置に関係するグループ識別子と肯定応答情報とを少なくとも含む肯定応答メッセージを発生させることと、
前記複数の装置に前記肯定応答メッセージを送信することとを含む方法。
［２］前記肯定応答メッセージは、前記複数の装置のうちの１つ以上に対応する１つ以上の装置識別子をさらに含む［１］記載の方法。
［３］前記装置識別子は、相対装置識別子である［２］記載の方法。
［４］前記装置識別子は、一時的な識別子である［２］記載の方法。
［５］前記グループ識別子は、媒体アクセス制御アドレスを含む［１］記載の方法。
［６］アソシエーションの間に、前記グループ識別子を送信することをさらに含む［１］記載の方法。
［７］前記複数の装置のうちの１つ以上に、送信開始メッセージを送信することをさらに含む［１］記載の方法。
［８］前記送信開始メッセージは、前記グループ識別子を含む［７］記載の方法。
［９］前記肯定応答メッセージは、前記受信した１つ以上の送信の、１つ以上のトラフィックエレメントにそれぞれ関係する１つ以上のトラフィック識別子をさらに含む［１］記載の方法。
［１０］前記肯定応答メッセージは、ブロック肯定応答を含む［１］記載の方法。
［１１］前記ブロック肯定応答は、受信機アドレスフィールドを含み、前記受信機アドレスフィールドは、前記グループ識別子を含む［１０］記載の方法。
［１２］前記ブロック肯定応答は、送信機アドレスフィールドを含み、前記送信機アドレスフィールドは、前記グループ識別子を含む［１０］記載の方法。
［１３］前記ブロック肯定応答は、マルチトラフィック識別子フィールドを含み、前記方法は、前記ブロック肯定応答中に肯定応答情報が含まれている装置の数に少なくとも部分的に基づいて、前記マルチトラフィック識別子フィールドの値を決定することをさらに含む［１０］記載の方法。
［１４］前記ブロック肯定応答は、ブロック肯定応答制御フィールドを含み、前記ブロック肯定応答制御フィールドは、複数の予約ビットを含み、前記方法は、前記ブロック肯定応答中に肯定応答情報が含まれている装置の数に少なくとも部分的に基づいて、前記複数の予約ビットのうちの１つ以上のそれぞれの値を決定することをさらに含む［１０］記載の方法。
［１５］前記ブロック肯定応答は、１つ以上の、トラフィック識別子ごとの情報フィールドを含み、各トラフィック識別子ごとの情報フィールドは、複数の予約ビットを含み、前記複数の予約ビットのうちの１つ以上は、前記複数の装置のうちの１つ以上のうちの１つに対する装置識別子を含む［１０］記載の方法。
［１６］前記ブロック肯定応答は、１つ以上のブロック肯定応答情報フィールドを含み、各ブロック肯定応答情報フィールドは、装置識別子フィールドを含み、前記装置識別子フィールドは、前記複数の装置のうちの１つ以上のうちの１つに対する装置識別子を含む［１０］記載の方法。
［１７］通信のための装置において、
複数の装置のうちの１つ以上から１つ以上の送信を受信するように構成されている受信機と、
前記受信した１つ以上の送信に基づいて、少なくとも前記複数の装置に関係するグループ識別子と肯定応答情報とを少なくとも含む肯定応答メッセージを発生させるように構成されている処理システムと、
前記複数の装置に前記肯定応答メッセージを送信するように構成されている送信機とを具備する装置。
［１８］前記肯定応答メッセージは、前記複数の装置のうちの１つ以上に対応する１つ以上の装置識別子をさらに含む［１７］記載の装置。
［１９］前記装置識別子は、相対装置識別子である［１８］記載の装置。
［２０］前記装置識別子は、一時的な識別子である［１８］記載の装置。
［２１］前記グループ識別子は、媒体アクセス制御アドレスを含む［１７］記載の装置。
［２２］前記送信機は、アソシエーションの間に、前記グループ識別子を送信するようにさらに構成されている［１７］記載の装置。
［２３］前記送信機は、前記複数の装置のうちの１つ以上に、送信開始メッセージを送信するようにさらに構成されている［１７］記載の装置。
［２４］前記送信開始メッセージは、前記グループ識別子を含む［２３］記載の装置。
［２５］前記肯定応答メッセージは、前記受信した１つ以上の送信の、１つ以上のトラフィックエレメントにそれぞれ関係する１つ以上のトラフィック識別子をさらに含む［１７］記載の装置。
［２６］前記肯定応答メッセージは、ブロック肯定応答を含む［１７］記載の装置。
［２７］前記ブロック肯定応答は、受信機アドレスフィールドを含み、前記受信機アドレスフィールドは、前記グループ識別子を含む［２６］記載の装置。
［２８］前記ブロック肯定応答は、送信機アドレスフィールドを含み、前記送信機アドレスフィールドは、前記グループ識別子を含む［２６］記載の装置。
［２９］前記ブロック肯定応答は、マルチトラフィック識別子フィールドを含み、前記処理システムは、前記ブロック肯定応答中に肯定応答情報が含まれている装置の数に少なくとも部分的に基づいて、前記マルチトラフィック識別子フィールドの値を決定するようにさらに構成されている［２６］記載の装置。
［３０］前記ブロック肯定応答は、ブロック肯定応答制御フィールドを含み、前記ブロック肯定応答制御フィールドは、複数の予約ビットを含み、前記処理システムは、前記ブロック肯定応答中に肯定応答情報が含まれている装置の数に少なくとも部分的に基づいて、前記複数の予約ビットのうちの１つ以上のそれぞれの値を決定するようにさらに構成されている［２６］記載の装置。
［３１］前記ブロック肯定応答は、１つ以上の、トラフィック識別子ごとの情報フィールドを含み、各トラフィック識別子ごとの情報フィールドは、複数の予約ビットを含み、前記複数の予約ビットのうちの１つ以上は、前記複数の装置のうちの１つ以上のうちの１つに対する装置識別子を含む［２６］記載の装置。
［３２］前記ブロック肯定応答は、１つ以上のブロック肯定応答情報フィールドを含み、各ブロック肯定応答情報フィールドは、装置識別子フィールドを含み、前記装置識別子フィールドは、前記複数の装置のうちの１つ以上のうちの１つに対する装置識別子を含む［２６］記載の装置。
［３３］通信のための装置において、
複数の装置のうちの１つ以上から１つ以上の送信を受信する手段と、
前記受信した１つ以上の送信に基づいて、少なくとも前記複数の装置に関係するグループ識別子と肯定応答情報とを少なくとも含む肯定応答メッセージを発生させる手段と、
前記複数の装置に前記肯定応答メッセージを送信する手段とを具備する装置。
［３４］前記肯定応答メッセージは、前記複数の装置のうちの１つ以上に対応する１つ以上の装置識別子をさらに含む［３３］記載の装置。
［３５］前記装置識別子は、相対装置識別子である［３４］記載の装置。
［３６］前記装置識別子は、一時的な識別子である［３４］記載の装置。
［３７］前記グループ識別子は、媒体アクセス制御アドレスを含む［３３］記載の装置。
［３８］前記送信する手段は、アソシエーションの間に、前記グループ識別子を送信するようにさらに構成されている［３３］記載の装置。
［３９］前記送信する手段は、前記複数の装置のうちの１つ以上に、送信開始メッセージを送信するようにさらに構成されている［３３］記載の装置。
［４０］前記送信開始メッセージは、前記グループ識別子を含む［３９］記載の装置。
［４１］前記肯定応答メッセージは、前記受信した１つ以上の送信の、１つ以上のトラフィックエレメントにそれぞれ関係する１つ以上のトラフィック識別子をさらに含む［３３］記載の装置。
［４２］前記肯定応答メッセージは、ブロック肯定応答を含む［３３］記載の装置。
［４３］前記ブロック肯定応答は、受信機アドレスフィールドを含み、前記受信機アドレスフィールドは、前記グループ識別子を含む［４２］記載の装置。
［４４］前記ブロック肯定応答は、送信機アドレスフィールドを含み、前記送信機アドレスフィールドは、前記グループ識別子を含む［４２］記載の装置。
［４５］前記ブロック肯定応答は、マルチトラフィック識別子フィールドを含み、前記装置は、前記ブロック肯定応答中に肯定応答情報が含まれている装置の数に少なくとも部分的に基づいて、前記マルチトラフィック識別子フィールドの値を決定する手段をさらに具備する［４２］記載の装置。
［４６］前記ブロック肯定応答は、ブロック肯定応答制御フィールドを含み、前記ブロック肯定応答制御フィールドは、複数の予約ビットを含み、前記装置は、前記ブロック肯定応答中に肯定応答情報が含まれている装置の数に少なくとも部分的に基づいて、前記複数の予約ビットのうちの１つ以上のそれぞれの値を決定する手段をさらに具備する［４２］記載の装置。
［４７］前記ブロック肯定応答は、１つ以上の、トラフィック識別子ごとの情報フィールドを含み、各トラフィック識別子ごとの情報フィールドは、複数の予約ビットを含み、前記複数の予約ビットのうちの１つ以上は、前記複数の装置のうちの１つ以上のうちの１つに対する装置識別子を含む［４２］記載の装置。
［４８］前記ブロック肯定応答は、１つ以上のブロック肯定応答情報フィールドを含み、各ブロック肯定応答情報フィールドは、装置識別子フィールドを含み、前記装置識別子フィールドは、前記複数の装置のうちの１つ以上のうちの１つに対する装置識別子を含む［４２］記載の装置。
［４９］コンピュータプログラムプロダクトにおいて、
装置により実行される場合に、前記装置に方法を実行させるコンピュータ実行可能命令をその上に記憶しているコンピュータ読み取り可能媒体を含み、
前記方法は、
複数の装置のうちの１つ以上から１つ以上の送信を受信することと、
前記受信した１つ以上の送信に基づいて、少なくとも前記複数の装置に関係するグループ識別子と肯定応答情報とを少なくとも含む肯定応答メッセージを発生させることと、
前記複数の装置に前記肯定応答メッセージを送信することとを含むコンピュータプログラムプロダクト。
［５０］ワイヤレスノードにおいて、
少なくとも１本のアンテナと、
前記少なくとも１本のアンテナを介して、複数の装置のうちの１つ以上から１つ以上の送信を受信するように構成されている受信機と、
前記受信した１つ以上の送信に基づいて、少なくとも前記複数の装置に関係するグループ識別子と肯定応答情報とを少なくとも含む肯定応答メッセージを発生させるように構成されている処理システムと、
前記少なくとも１本のアンテナを介して、前記複数の装置に前記肯定応答メッセージを送信するように構成されている送信機とを具備するワイヤレスノード。
［５１］通信の方法において、
複数の装置のうちの１つからワイヤレスノードにデータを送信することと、
前記ワイヤレスノードから肯定応答メッセージを受信し、前記肯定応答メッセージは、少なくとも前記複数の装置に関係するグループ識別子と肯定応答情報とを少なくとも含むことと、
前記グループ識別子と前記肯定応答情報とに少なくとも部分的に基づいて、前記複数の装置のうちの１つに対する肯定応答情報を決定することとを含む方法。
［５２］前記肯定応答メッセージは、前記複数の装置のうちの１つ以上に対応する装置識別子をさらに含む［５１］記載の方法。
［５３］前記装置識別子は、相対装置識別子である［５２］記載の方法。
［５４］前記装置識別子は、一時的な識別子である［５２］記載の方法。
［５５］データを送信する前に、前記ワイヤレスノードから送信開始メッセージを受信することをさらに含む［５１］記載の方法。
［５６］前記送信開始メッセージ中の情報の配列に少なくとも部分的に基づいて、前記複数の装置のうちの１つに対応する装置識別子を決定することをさらに含む［５５］記載の方法。
［５７］前記送信開始メッセージは、前記グループ識別子を含む［５５］記載の方法。
［５８］前記グループ識別子は、媒体アクセス制御アドレスを含む［５１］記載の方法。
［５９］アソシエーションの間に、前記グループ識別子を受信することをさらに含む［５１］記載の方法。
［６０］前記複数の装置のうちの１つに対する前記肯定応答情報を決定することは、前記肯定応答メッセージ中の情報の配列に少なくとも部分的に基づいている［５１］記載の方法。
［６１］前記肯定応答メッセージは、前記送信したデータの、１つ以上のトラフィックエレメントにそれぞれ関係する１つ以上のトラフィック識別子をさらに含む［５１］記載の方法。
［６２］前記肯定応答メッセージは、ブロック肯定応答を含む［５１］記載の方法。
［６３］前記ブロック肯定応答は、前記受信機アドレスフィールドを含み、前記受信機アドレスフィールドは、前記グループ識別子を含む［６２］記載の方法。
［６４］前記ブロック肯定応答は、前記送信機アドレスフィールドを含み、前記送信機アドレスフィールドは、前記グループ識別子を含む［６２］記載の方法。
［６５］通信のための装置において、
前記装置は、グループ識別子に関係する複数の装置のうちの１つであり、
ワイヤレスノードにデータを送信するように構成されている送信機と、
前記ワイヤレスノードから肯定応答メッセージを受信するように構成されている受信機であって、前記肯定応答メッセージは、前記グループ識別子と肯定応答情報とを少なくとも含む、受信機と、
前記グループ識別子と前記肯定応答情報とに少なくとも部分的に基づいて、前記装置に対する肯定応答情報を決定するように構成されている処理システムとを具備する装置。
［６６］前記肯定応答メッセージは、前記装置に対応する装置識別子をさらに含む［６５］記載の装置。
［６７］前記装置識別子は、相対装置識別子である［６６］記載の装置。
［６８］前記装置識別子は、一時的な識別子である［６６］記載の装置。
［６９］前記受信機は、データを送信する前に、前記ワイヤレスノードから送信開始メッセージを受信するようにさらに構成されている［６５］記載の装置。
［７０］前記処理システムは、前記送信開始メッセージ中の情報の配列に少なくとも部分的に基づいて、前記複数の装置のうちの１つに対応する装置識別子を決定するようにさらに構成されている［６９］記載の装置。
［７１］前記送信開始メッセージは、前記グループ識別子を含む［６９］記載の装置。
［７２］前記グループ識別子は、媒体アクセス制御アドレスを含む［６５］記載の装置。
［７３］前記受信機は、アソシエーションの間に、前記グループ識別子を受信するようにさらに構成されている［６５］記載の装置。
［７４］前記処理システムは、前記受信された肯定応答メッセージ中の情報の配列に少なくとも部分的に基づいて、前記装置に対する前記肯定応答情報を決定するようにさらに構成されている［６５］記載の装置。
［７５］前記肯定応答メッセージは、前記送信したデータの、１つ以上のトラフィックエレメントにそれぞれ関係する１つ以上のトラフィック識別子をさらに含む［６５］記載の装置。
［７６］前記肯定応答メッセージは、ブロック肯定応答を含む［６５］記載の装置。
［７７］前記ブロック肯定応答は、前記受信機アドレスフィールドを含み、前記受信機アドレスフィールドは、前記グループ識別子を含む［７６］記載の装置。
［７８］前記ブロック肯定応答は、前記送信機アドレスフィールドを含み、前記送信機アドレスフィールドは、前記グループ識別子を含む［７６］記載の装置。
［７９］通信のための装置において、
前記装置は、グループ識別子に関係する複数の装置のうちの１つであり、
ワイヤレスノードにデータを送信する手段と、
前記ワイヤレスノードから肯定応答メッセージを受信する手段であって、前記肯定応答メッセージは、前記グループ識別子と肯定応答情報とを少なくとも含む、手段と、
前記グループ識別子と前記肯定応答情報とに少なくとも部分的に基づいて、前記装置に対する肯定応答情報を決定する手段とを具備する装置。
［８０］前記肯定応答メッセージは、前記装置に対応する装置識別子をさらに含む［７９］記載の装置。
［８１］前記装置識別子は、相対装置識別子である［８０］記載の装置。
［８２］前記装置識別子は、一時的な識別子である［８０］記載の装置。
［８３］前記受信する手段は、データを送信する前に、前記ワイヤレスノードから送信開始メッセージを受信するようにさらに構成されている［７９］記載の装置。
［８４］前記決定する手段は、前記送信開始メッセージ中の情報の配列に少なくとも部分的に基づいて、前記装置に対応する装置識別子を決定するようにさらに構成されている［８３］記載の装置。
［８５］前記送信開始メッセージは、前記グループ識別子を含む［８３］記載の装置。
［８６］前記グループ識別子は、媒体アクセス制御アドレスを含む［７９］記載の装置。
［８７］前記受信する手段は、アソシエーションの間に、前記グループ識別子を受信するようにさらに構成されている［７９］記載の装置。
［８８］前記決定する手段は、前記受信された肯定応答メッセージ中の情報の配列に少なくとも部分的に基づいて、前記装置に対する前記肯定応答情報を決定するようにさらに構成されている［７９］記載の装置。
［８９］前記肯定応答メッセージは、前記送信したデータの、１つ以上のトラフィックエレメントにそれぞれ関係する１つ以上のトラフィック識別子をさらに含む［７９］記載の装置。
［９０］前記肯定応答メッセージは、ブロック肯定応答を含む［７９］記載の装置。
［９１］前記ブロック肯定応答は、前記受信機アドレスフィールドを含み、前記受信機アドレスフィールドは、前記グループ識別子を含む［９０］記載の装置。
［９２］前記ブロック肯定応答は、前記送信機アドレスフィールドを含み、前記送信機アドレスフィールドは、前記グループ識別子を含む［９０］記載の装置。
［９３］コンピュータプログラムプロダクトにおいて、
グループ識別子に関係する複数の装置のうちの１つである装置により実行される場合に、前記装置に方法を実行させるコンピュータ実行可能命令をその上に記憶しているコンピュータ読み取り可能媒体を含み、
前記方法は、
ワイヤレスノードにデータを送信することと、
前記ワイヤレスノードから肯定応答メッセージを受信し、前記肯定応答メッセージは、前記グループ識別子と肯定応答情報とを少なくとも含むことと、
前記グループ識別子と前記肯定応答情報とに少なくとも部分的に基づいて、前記装置に対する肯定応答情報を決定することとを含むコンピュータプログラムプロダクト。
［９４］アクセス端末において、
少なくとも１本のアンテナと、
前記少なくとも１本のアンテナを介して、ワイヤレスノードにデータを送信するように構成されている送信機と、
前記少なくとも１本のアンテナを介して、前記ワイヤレスノードから肯定応答メッセージを受信するように構成されている受信機であって、前記肯定応答メッセージは、肯定応答情報と、前記アクセス端末と少なくとも１つの他の装置とに関係するグループ識別子とを少なくとも含む、受信機と、
前記グループ識別子と前記肯定応答情報とに少なくとも部分的に基づいて、前記アクセス端末に対する肯定応答情報を決定するように構成されている処理システムとを具備するアクセス端末。
【国際調査報告】
2013513346.tif 000019
2013513346.tif 000020
2013513346.tif 000021